(57)【要約】【課題】マクロセルの無線リソースの消費をより小さくすることを可能にする。【解決手段】端末装置のためのアップリンクＰＣＣ及びダウンリンクＰＣＣとしてマクロセルのアップリンクＣＣ及びダウンリンクＣＣを使用する上記端末装置により報告される測定結果を取得する取得部と、上記測定結果に基づいて、上記アップリンクＰＣＣ及び上記ダウンリンクＰＣＣの少なくとも一方を変更するハンドオーバを決定する制御部と、を備える装置が提供される。上記制御部は、所定の条件が満たされる場合に、上記アップリンクＰＣＣを変更せずに上記ダウンリンクＰＣＣを上記マクロセルの上記ダウンリンクＣＣからスモールセルのダウンリンクＣＣへ変更するハンドオーバを決定する。【選択図】図１３
2015146285.tif 000002
【特許請求の範囲】
【請求項１】
端末装置のためのアップリンクＰＣＣ（Primary  Component  Carrier）及びダウンリンクＰＣＣとしてマクロセルのアップリンクＣＣ（Component  Carrier）及びダウンリンクＣＣを使用する前記端末装置により報告される測定結果を取得する取得部と、
前記測定結果に基づいて、前記アップリンクＰＣＣ及び前記ダウンリンクＰＣＣの少なくとも一方を変更するハンドオーバを決定する制御部と、
を備え、
前記制御部は、所定の条件が満たされる場合に、前記アップリンクＰＣＣを変更せずに前記ダウンリンクＰＣＣを前記マクロセルの前記ダウンリンクＣＣからスモールセルのダウンリンクＣＣへ変更するハンドオーバを決定する、
装置。
【請求項２】
前記所定の条件は、前記端末装置により前記マクロセルの基地局へ所定のメッセージが送信されることを含む、請求項１に記載の装置。
【請求項３】
前記所定のメッセージは、前記端末装置のモビリティが低いことを示すメッセージを含む、請求項２に記載の装置。
【請求項４】
前記所定のメッセージは、前記端末装置が低消費電力を好むことを示すメッセージを含む、請求項２に記載の装置。
【請求項５】
前記マクロセルは、ＭＢＭＳ（Multimedia  Broadcast  Multicast  Services）サービスが提供されないセルであり、
前記スモールセルは、ＭＢＭＳサービスが提供されるセルであり、
前記所定のメッセージは、前記端末装置がユニキャストの受信よりもＭＢＭＳの受信を優先することを示すメッセージを含む、
請求項２に記載の装置。
【請求項６】
前記制御部は、前記アップリンクＰＣＣを変更せずに前記ダウンリンクＰＣＣを変更する前記ハンドオーバの実行後に、前記端末装置との無線通信のために前記マクロセルの前記ダウンリンクＣＣを使用しない、請求項１に記載の装置。
【請求項７】
前記制御部は、前記アップリンクＰＣＣを変更せずに前記ダウンリンクＰＣＣを変更する前記ハンドオーバの実行後に、前記端末装置との無線通信のために前記マクロセルの前記ダウンリンクＣＣを前記端末装置のためのダウンリンクＳＣＣ（Secondary  Component  Carrier）として使用する、請求項１に記載の装置。
【請求項８】
前記制御部は、前記アップリンクＰＣＣを変更せずに前記ダウンリンクＰＣＣを変更する前記ハンドオーバの実行のためのメッセージの、前記端末装置への送信を制御する、請求項１に記載の装置。
【請求項９】
前記メッセージは、ＲＲＣ（Radio  Resource  Control）コネクションリコンフィギュレーションメッセージである、請求項８に記載の装置。
【請求項１０】
前記装置は、前記マクロセルの基地局、当該基地局のための基地局装置、又は当該基地局装置のためのモジュールである、請求項１に記載の装置。
【請求項１１】
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージの、前記端末装置への送信を制御する制御部、
を備える装置。
【請求項１２】
前記装置は、前記スモールセルの基地局、当該基地局のための基地局装置、又は当該基地局装置のためのモジュールである、請求項１１に記載の装置。
【請求項１３】
前記制御部は、前記スモールセルの前記ダウンリンクＣＣを使用して所定の期間内に前記メッセージが前記端末装置へ送信されるように、前記メッセージの前記端末装置への送信を制御する、請求項１２に記載の装置。
【請求項１４】
前記装置は、前記マクロセルの基地局、当該基地局のための基地局装置、又は当該基地局装置のためのモジュールである、請求項１１に記載の装置。
【請求項１５】
前記スモールセルは、ダウンリンクＣＣのみが使用可能なセルである、請求項１に記載の装置。
【請求項１６】
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージであって、基地局により前記端末装置へ送信される前記メッセージを取得する取得部と、
前記ハンドオーバの実行後に、前記マクロセルの前記アップリンクＣＣを前記アップリンクＰＣＣとして使用し、前記スモールセルの前記ダウンリンクＣＣを前記ダウンリンクＰＣＣとして使用する制御部と、
を備える装置。
【請求項１７】
前記制御部は、前記ハンドオーバの実行後に、前記マクロセルの基地局との無線通信のために前記マクロセルの前記ダウンリンクＣＣを使用しない、請求項１６に記載の装置。
【請求項１８】
前記制御部は、前記ハンドオーバの実行後に、前記マクロセルの基地局との無線通信のために前記マクロセルの前記ダウンリンクＣＣを前記端末装置のためのダウンリンクＳＣＣとして使用する、請求項１７に記載の装置。
【請求項１９】
前記制御部は、前記端末装置のモビリティが低いかを示すメッセージを生成し、前記マクロセルの基地局への当該メッセージの送信を制御する、請求項１６に記載の装置。
【請求項２０】
前記装置は、前記端末装置、又は当該端末装置のためのモジュールである、請求項１６に記載の装置。
【発明の詳細な説明】
【技術分野】
【０００１】
本開示は、装置に関する。
【背景技術】
【０００２】
３ＧＰＰ（Third  Generation  Partnership  Project）において４Ｇの無線通信システムが規格化されている。４Ｇにおいては、キャリアアグリゲーション、リレー及びＭＵ−ＭＩＭＯ（Multi-User  Multiple-Input  Multiple-Output）等の技術が注目されている。【０００３】
とりわけ、キャリアアグリゲーションは、最大２０ＭＨｚのバンド幅を有する例えば５つの周波数帯をまとめて扱うことにより、２０ＭＨｚ×５＝１００ＭＨｚのバンド幅を扱える技術である。このキャリアアグリゲーションによれば、最大スループットの向上が期待される。このようなキャリアアグリゲーションに関連して様々な技術が検討されている。【０００４】
例えば、特許文献１には、キャリアアグリゲーションにおいてダウンリンクキャリア及びアップリンクキャリアのうちの一方のみをある基地局のキャリアから他の基地局のキャリアへ変更する一方向（unidirectional）ハンドオーバが、開示されている。
【先行技術文献】
【特許文献】
【０００５】
【特許文献１】米国特許出願公開第２０１０／０２３４０３７号公報
【発明の概要】
【発明が解決しようとする課題】
【０００６】
しかし、上記特許文献１に開示されている技術では、例えば、マクロセル及びスモールセルを含むＨｅｔＮｅｔ（Heterogeneous  Network）において基地局間のキャリアアグリゲーションが行われる場合に、マクロセルの無線リソースの消費が大きくなり得る。【０００７】
具体的には、例えば、ＨｅｔＮｅｔにおいて基地局間のキャリアアグリゲーションが行われる場合、通常、端末装置のモビリティを考慮して、マクロセルのＣＣ（Component  Carrier）がＰＣＣ（Primary  Component  Carrier）として使用され、スモールセルのＣＣがＳＣＣ（Secondary  Component  Carrier）として使用されることが想定される。とりわけ、ＦＤＤが採用され、スモールセルにダウンリンク帯域のみが割り当てられる（即ち、スモールセルのいずれのＣＣもダウンリンクＣＣである）場合には、スモールセルのダウンリンクＣＣはダウンリンクＳＣＣとして使用されることが想定される。このような場合には、マクロセルのダウンリンクＣＣがダウンリンクＰＣＣとして使用され、当該ダウンリンクＣＣを使用して制御情報などが送信され得る。即ち、マクロセルの無線リソースが消費され得る。例えば、端末装置がしばらくの間移動しない場合であっても、マクロセルの無線リソースが消費され得る。【０００８】
そこで、マクロセルの無線リソースの消費をより小さくすることを可能にする仕組みが提供されることが望ましい。
【課題を解決するための手段】
【０００９】
本開示によれば、端末装置のためのアップリンクＰＣＣ及びダウンリンクＰＣＣとしてマクロセルのアップリンクＣＣ及びダウンリンクＣＣを使用する上記端末装置により報告される測定結果を取得する取得部と、上記測定結果に基づいて、上記アップリンクＰＣＣ及び上記ダウンリンクＰＣＣの少なくとも一方を変更するハンドオーバを決定する制御部と、を備える装置が提供される。上記制御部は、所定の条件が満たされる場合に、上記アップリンクＰＣＣを変更せずに上記ダウンリンクＰＣＣを上記マクロセルの上記ダウンリンクＣＣからスモールセルのダウンリンクＣＣへ変更するハンドオーバを決定する。【００１０】
また、本開示によれば、端末装置のためのアップリンクＰＣＣをマクロセルのアップリンクＣＣから変更せずに上記端末装置のためのダウンリンクＰＣＣをマクロセルのダウンリンクＣＣからスモールセルのダウンリンクＣＣへ変更するハンドオーバの実行のためのメッセージの、上記端末装置への送信を制御する制御部、を備える装置が提供される。【００１１】
また、本開示によれば、端末装置のためのアップリンクＰＣＣをマクロセルのアップリンクＣＣから変更せずに上記端末装置のためのダウンリンクＰＣＣをマクロセルのダウンリンクＣＣからスモールセルのダウンリンクＣＣへ変更するハンドオーバの実行のためのメッセージであって、基地局により上記端末装置へ送信される上記メッセージを取得する取得部と、上記ハンドオーバの実行後に、上記マクロセルの上記アップリンクＣＣを上記アップリンクＰＣＣとして使用し、上記スモールセルの上記ダウンリンクＣＣを上記ダウンリンクＰＣＣとして使用する制御部と、を備える装置が提供される。
【発明の効果】
【００１２】
以上説明したように本開示によれば、マクロセルの無線リソースの消費をより小さくすることが可能になる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１３】
【図１】ＭＢＳＦＮエリアの例を説明するための説明図である。
【図２】ＭＢＳＦＮサブフレームの例を説明するための説明図である。
【図３】ＭＣＣＨが配置されるサブフレームの例を説明するための説明図である。
【図４】ＳＩＢ１５の情報の例を説明するための説明図である。
【図５】ＳＣＣの追加前の状態の例を説明するための説明図である。
【図６】ＳＣＣの追加後の状態の例を説明するための説明図である。
【図７】ＳＣＣの追加の手続きの概略的な流れの例を示すシーケンス図である。
【図８】ハンドオーバ手続きの概略的な流れの例を示すシーケンス図である。
【図９】一実施形態に係る通信システム１の概略的な構成の一例を示す説明図である。
【図１０】スモールセルの配置の別の例を説明するための説明図である。
【図１１】同実施形態に係るマクロ基地局の構成の一例を示すブロック図である。
【図１２】特別なハンドオーバの前のＣＣの使用状況の例を説明するための説明図である。
【図１３】特別なハンドオーバの後のＣＣの使用状況の第１の例を説明するための説明図である。
【図１４】特別なハンドオーバの後のＣＣの使用状況の第２の例を説明するための説明図である。
【図１５】同実施形態に係るスモール基地局の構成の一例を示すブロック図である。
【図１６】同実施形態に係る端末装置の構成の一例を示すブロック図である。
【図１７】同実施形態に係る処理の概略的な流れの一例を示すシーケンス図である。
【図１８】同実施形態の変形例に係る処理の概略的な流れの一例を示すシーケンス図である。
【図１９】ｅＮＢの概略的な構成の第１の例を示すブロック図である。
【図２０】ｅＮＢの概略的な構成の第２の例を示すブロック図である。
【図２１】スマートフォンの概略的な構成の一例を示すブロック図である。
【図２２】カーナビゲーション装置の概略的な構成の一例を示すブロック図である。
【発明を実施するための形態】
【００１４】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．はじめに
２．通信システムの概略的な構成
３．各装置の構成
３．１．マクロ基地局の構成
３．２．スモール基地局の構成
３．３．端末装置の構成
４．処理の流れ
５．変形例
６．応用例
６．１．基地局に関する応用例
６．２．端末装置に関する応用例
７．まとめ
【００１６】
＜＜１．はじめに＞＞
まず、図１〜図９を参照して、ＭＢＭＳ（Multimedia  Broadcast  Multicast  Services）、スモールセル及びハンドオーバを説明する。
【００１７】
（ＭＢＭＳ）
（ａ）ＭＢＳＦＮ
ＭＢＭＳは、周波数利用効率を高めることができるダウンリンクの方式である。ＭＢＭＳでは、複数のＵＥ（User  Equipment）が、同一のダウンリンクリソースで同一の情報を受信する。ＭＢＭＳは、多数のＵＥに同一の情報を報知することに適する。例えば、ＭＢＭＳは、ニュース及びスポーツ中継などの効率的なビデオ配信を可能にする。
【００１８】
ＭＢＭＳでは、同一の無線リソースで同一の情報が送信されるエリアを、ＭＢＳＦＮ（MBMS  Single  Frequency  Network）エリアと呼ぶ。ＭＢＳＦＮエリアには、１つ以上のセルが属する。各セルは、最大８つのＭＢＳＦＮエリアに属することができる。以下、図１を参照して、ＭＢＳＦＮエリアの一例を説明する。
【００１９】
図１は、ＭＢＳＦＮエリアの例を説明するための説明図である。図１を参照すると、５つのセル６０を含むＭＢＳＦＮエリアが示されている。５つのセル６０の各々のｅＮＢ（evolved  Node  B）６１は、同一の無線リソースで同一の情報を送信する。これにより、ＭＢＳＦＮエリア内に位置するＵＥ６３は、上記同一の無線リソースで同一の情報を受信する。なお、セルエッジに位置するＵＥ６３は、２つ以上のｅＮＢにより送信される信号を合成することにより、より良好な通信品質を得ることができる。
【００２０】
ＵＥによるＭＢＭＳサービスの受信を可能にするために、ＵＥとネットワークとの間で、ＭＢＭＳマルチキャストサービスのアクティベーション手続きが行われる。当該手続において、ネットワークは、ＵＥを認識し、ＭＢＭＳ  ＵＥコンテキストを生成する。
【００２１】
（ｂ）ＭＢＳＦＮのサブフレーム及びチャネル
−ＭＢＳＦＮサブフレーム
ＭＢＭＳのために使用されるＭＢＳＦＮサブフレームは、ＳＩＢ（System  Information  Block）２のＭＢＳＦＮサブフレームコンフィギュレーションリストの中で報知される。３ＧＰＰのリリース８のＵＥは、当該ＳＩＢ２から、ＭＢＳＦＮサブフレームを認識する。
【００２２】
ＭＢＳＦＮサブフレームは、無線フレーム割当て期間（Radio  Frame  Allocation  Period）、無線フレーム割当てオフセット（Radio  Frame  Allocation  Offset）、及びサブフレーム割当て（Subframe  Allocation）により示される。以下、図２を参照して、ＭＢＳＦＮサブフレームの具体例を説明する。
【００２３】
図２は、ＭＢＳＦＮサブフレームの例を説明するための説明図である。図２を参照すると、各ＳＦＮ（System  Frame  Number）の無線フレームに含まれるサブフレームが示されている。この例では、無線フレーム割当て期間は８であり、無線フレーム割当てオフセットは２である。また、サブフレーム割当ては、４フレームパターン（２４ビット）である。そのため、「ＳＦＮ  ｍｏｄ  ８  ＝２」を満たすＳＦＮ（即ち、２、１０、１８などのＳＦＮ）の無線フレームと、その後に続く３つの無線フレームとが、ＭＢＳＦＮのための無線フレームである。また、この例では、ＦＤＤ（Frequency  Division  Duplexing）が採用され、サブフレーム割当ては、「０１１０１０  ０１１０１０  ０１１０１０  ０１１０１０」である。ＦＤＤが採用される場合には、サブフレーム割当ての各ビットは、＃１、＃２、＃３、＃６、＃７及び＃８のサブフレームを示すので、上記無線フレームのうちの＃２、＃３及び＃７のサブフレームが、ＭＢＳＦＮサブフレームである。
【００２４】
−ＭＣＣＨ
ＭＢＭＳでは、論理チャネルとして、制御チャネルであるＭＣＣＨ（Multicast  Control  Channel）と、トラフィックチャネルであるＭＴＣＨ（Multicast  Traffic  Channel）とがある。ＭＣＣＨは、ＭＴＣＨへのアクセスのための情報を提供する。
【００２５】
ＭＣＣＨ及びＭＴＣＨは、同一のトランスポートチャネル（即ち、ＭＣＨ（Multicast  Channel））及び同一の物理チャネル（即ち、ＰＭＣＨ（Physical  Multicast  Channel））にマッピングされる。そのため、ＵＥは、ＭＣＣＨとＭＴＣＨとを判別する必要がある。そこで、ＳＩＢ１３の中で、ＭＣＣＨのスケジュール情報が提供される。
【００２６】
ＳＩＢ１３は、ＭＣＣＨが配置されるサブフレームなどを示す。より具体的には、ＳＩＢ１３は、ＭＣＣＨ反復期間（MCCH  Repetition  Period）、ＭＣＣＨオフセット及びサブフレーム割当て情報（Subframe  Allocation  Information）などを含む。以下、図３を参照して、ＭＣＣＨが配置されるサブフレームの具体例を説明する。
【００２７】
図３は、ＭＣＣＨが配置されるサブフレームの例を説明するための説明図である。図３を参照すると、各ＳＦＮの無線フレームに含まれるサブフレームが示されている。この例のＭＢＳＦＮサブフレームは、図２に示されるＭＢＳＦＮサブフレームと同一である。この例では、ＭＣＣＨ反復期間は３２であり、ＭＣＣＨオフセットは５である。そのため、「ＳＦＮ  ｍｏｄ  ３２  ＝５」を満たすＳＦＮ（即ち、５、３７などのＳＦＮ）の無線フレームが、ＭＣＣＨが配置される無線フレームである。さらに、この例では、サブフレーム割当て情報が、「０１００００」である。ＦＤＤが採用される場合には、サブフレーム割当ての各ビットは、＃１、＃２、＃３、＃６、＃７及び＃８のサブフレームを示すので、上記無線フレームのうちの＃２のサブフレームが、ＭＣＣＨが配置されるサブフレームである。このように、ＭＣＣＨは、ＭＢＳＦＮサブフレームの中に定期的に配置される。
【００２８】
なお、ＳＩＢ１３は、ＭＢＳＦＮエリアＩＤ、非ＭＢＳＦＮ領域長（Non-MBSFN  region  length）及び通知インジケータ（Notification  Indicator）などを含む。ＭＢＳＦＮエリアＩＤは、最大８つのＭＢＳＦＮエリアを示す。非ＭＢＳＦＮ領域長は、ＰＭＣＨが配置されないＯＦＤＭ（Orthogonal  Frequency  Division  Multiplexing）シンボルを示す。通知インジケータは、ＭＣＣＨの変化を通知するためのビットがＰＤＣＣＨのどのビットかを示す。
【００２９】
（ｃ）ＳＩＢ１５
３ＧＰＰのリリース１１では、ＭＢＭＳのサービス継続性（service  continuity）の向上が議論され、複数の周波数を使用してＭＢＭＳを提供するという改善が加えられた。
【００３０】
具体的には、ＳＩＢ１５において、ｍｂｍｓ−ＳＡＩ−ＩｎｔｅｒＦｒｅｑＬｉｓｔ及びｍｂｍｓ−ＳＡＩ−ＩｎｔｒａＦｒｅｑが定義された。ｍｂｍｓ−ＳＡＩ−ＩｎｔｒａＦｒｅｑは、現在の周波数（current  frequency）についてのＭＢＭＳ  ＳＡＩのリストを含む。また、ｍｂｍｓ−ＳＡＩ−ＩｎｔｅｒＦｒｅｑＬｉｓｔは、隣接周波数（neighboring  frequencies）のリストを含み、対応するＭＢＭＳ  ＳＡＩを提供する。以下、図４を参照して、ＳＩＢ１５の情報の例を説明する。
【００３１】
図４は、ＳＩＢ１５の情報の例を説明するための説明図である。図４を参照すると、ｍｂｍｓ−ＳＡＩ−ＩｎｔｒａＦｒｅｑ及びｍｂｍｓ−ＳＡＩ−ＩｎｔｅｒＦｒｅｑＬｉｓｔが示されている。ｍｂｍｓ−ＳＡＩ−ＩｎｔｒａＦｒｅｑは、現在の周波数についてのＭＢＭＳ  ＳＡＩのリストを含む。ｍｂｍｓ−ＳＡＩ−ＩｎｔｅｒＦｒｅｑＬｉｓｔは、隣接周波数ごとのＡＲＦＣＮ（Absolute  Radio  Frequency  Channel  Number）とＭＢＭＳ  ＳＡＩのリストとを含む。ＳＡＩのビット長は６ビットである。また、ＡＲＦＣＮは、周波数を識別するための番号である。
【００３２】
ＳＩＢ１３により、現在の周波数及び隣接周波数についてのＳＡＩが端末装置に提供される。そのため、ＭＢＭＳのサービス継続性が向上し得る。
【００３３】
（ｄ）ＭＢＭＳインタレストインディケーション
ＵＥは、ＳＩＢ１５の取得後に、ＭＢＭＳインタレストインディケーションメッセージ（MBMS  interest  indication  message）を送信する。ＭＢＭＳインタレストインディケーションメッセージは、ＭＢＭＳ周波数リスト（MBMS  Frequency  List）及びＭＢＭＳ優先度（MBMS  Priority）を含む。ＭＢＭＳ周波数リストは、ＵＥがＭＲＢ（Media  Access  Broker）を介してＭＢＭＳを受信する又は受信することに興味があるＭＢＭＳ周波数のリストである。ＭＢＭＳ優先度は、ＵＥがユニキャスト受信よりもＭＢＭＳ受信を優先するかを示す。ＵＥがユニキャスト受信よりもＭＢＭＳ受信を優先する場合に、ＭＢＭＳ優先度はＴｒｕｅである。
【００３４】
ＭＢＭＳインタレストインディケーションメッセージは、ＲＲＣ接続モードのＵＥによって、いくつかのケースに送信される。例えば、サービスエリアへの進入又は退出のケース、セッションの開始又は終了のケース、ＵＥが周波数の変更を希望するケース、ＵＥがＭＢＭＳ優先度を変更するケース、及び／又はＳＩＢ１５の変更のケースなどに、ＭＢＭＳインタレストインディケーションメッセージが送信される。
【００３５】
（ｅ）ＵＳＤ（User  Service  Description）
ＭＢＭＳでは、ＢＭ−ＳＣ（Broadcast-Multicast  Service  Center）と呼ばれるノードが、ＭＢＭＳを受信しようとするＵＥにＵＳＤを提供する。ＵＳＤは、セッションの開始時間及び終了時間などの情報を含み、ＵＥは、サービスの受信の際に、これらの情報を利用する。
【００３６】
また、セッションの開始時にセル内でシグナリングが集中することが考えられる。そのため、ＵＳＤは、このような集中を回避するためのパラメータを含む。具体的には、ＵＳＤは、保護期間（protection  period）及びランダム期間（random  time  period）などを含む。
【００３７】
（スモールセル）
現在、３ＧＰＰのリリース１２において、スモールセルについての規格が検討されている。スモールセルは、マクロセルよりも小さいセルであり、セルラーシステムの通信容量を増大させる技術である。
【００３８】
（ａ）ｅＮＢ間のキャリアアグリゲーション
例えば、マクロセルとスモールセルとの間で異なる周波数帯域が使用され、マクロセルのマクロｅＮＢとスモールセルのスモールｅＮＢとの間のキャリアアグリゲーションが行われる。即ち、ＵＥは、２つのｅＮＢとのデュアル接続を行う。これにより、例えば、データ通信がより高速になり、ＵＥの移動に対する耐性がより高くなり得る。
【００３９】
（ｂ）ＳＣＣの追加
−ＳＣＣの追加の例
例えば、ＵＥが、マクロセルのＣＣをＰＣＣとして使用している場合に、スモーセルのＣＣが、当該ＵＥのＳＣＣとして追加される。以下、この点について図５及び図６を参照して具体例を説明する。
【００４０】
図５は、ＳＣＣの追加前の状態の例を説明するための説明図である。図５を参照すると、例えば、ＵＥは、アップリンクＰＣＣとして、マクロセル用のアップリンク帯域７０のうちのアップリンクＣＣ７１を使用している。また、ＵＥは、ダウンリンクＰＣＣとして、マクロセル用のダウンリンク帯域８０のうちのダウンリンクＣＣ８１を使用している。
【００４１】
図６は、ＳＣＣの追加後の状態の例を説明するための説明図である。図６を参照すると、例えば、スモールセル用のダウンリンク帯域９０のうちのダウンリンクＣＣ９１が、ＵＥのＳＣＣとして追加される。その結果、ＵＥは、アップリンクＣＣ７１及びダウンリンクＣＣ８１をＰＣＣとして使用し、ダウンリンクＣＣ９１をＳＣＣとして使用する。これにより、例えば、ダウンリンクのスループットが向上する。
【００４２】
なお、ＳＣＣは、Ｓｃｅｌｌ（Secondary  Cell）とも呼ばれる。また、ＰＣＣは、Ｐｃｅｌｌ（Primary  Cell）とも呼ばれる。
【００４３】
−ＳＣＣの追加の手続き
以下、図７を参照して、ＳＣＣの追加の手続きの例を説明する。図７は、ＳＣＣの追加の手続きの概略的な流れの例を示すシーケンス図である。
【００４４】
まず、マクロｅＮＢ（ＭｅＮＢ）が、キャリアアグリゲーション（ＣＡ）の決定を行う（Ｓ１００１）。具体的には、ＭｅＮＢは、スモールセルのＣＣをＵＥのＳｃｅｌｌとして追加することを決定する。すると、ＭｅＮＢは、Ｓｃｅｌｌ追加要求メッセージをスモールｅＮＢ（ＳｅＮＢ）へ送信し（Ｓ１００３）、ＳｅＮＢからのＳｃｅｌｌ追加要求ＡＣＫ（Acknowledgement）メッセージを受信する（Ｓ１００５）。
【００４５】
さらに、ＭｅＮＢは、Ｓｃｅｌｌの追加を指示するＲＲＣコネクションリコンフィギュレーションメッセージをＵＥへ送信する（Ｓ１００７）。すると、ＵＥは、スモールセルのＣＣをＳｃｅｌｌとして追加し（Ｓ１００９）、ＲＲＣコネクションリコンフィギュレーション完了メッセージをＭｅＮＢへ送信する（Ｓ１０１１）。さらに、ＵＥは、Ｓｃｅｌｌについての同期を獲得（achieve）する（Ｓ１０１３）。その後、ＭｅＮＢからＳｅＮＢへのＳＮ（Sequence  Number）ステータストランスファメッセージ（SN  Status  Transfer  message）の送信（Ｓ１０１５）、ＭｅＮＢからＳｅＮＢへのデータの転送（forwarding）（Ｓ１０１７）、ＭｅＮＢからＭＭＥへのパス切替え要求メッセージ（Path  Switch  Request  message）の送信（Ｓ１０１９）、及びＭＭＥからＭｅＮＢへのパス切替え要求ＡＣＫメッセージの送信（Ｓ１０２１）などが、行われる。
【００４６】
（ハンドオーバ）
ＰＣＣの変更は、ハンドオーバ手続きにより行われる。以下、図８を参照して、ハンドオーバ手続きの例を説明する。
【００４７】
図８は、ハンドオーバ手続きの概略的な流れの例を示すシーケンス図である。
【００４８】
ソースｅＮＢは、ソースｅＮＢからターゲットｅＮＢへのＵＥのハンドオーバを決定する（Ｓ１０４１）。すると、ソースｅＮＢは、ハンドオーバ要求メッセージをターゲットｅＮＢへ送信し（Ｓ１０４３）、ターゲットｅＮＢからのハンドオーバ要求ＡＣＫメッセージを受信する（Ｓ１０４５）。
【００４９】
さらに、ソースｅＮＢは、ターゲットｅＮＢへのハンドオーバの実行のためのＲＲＣコネクションリコンフィギュレーションメッセージをＵＥへ送信する（Ｓ１０４７）。すると、ＵＥは、ソースｅＮＢからのデタッチを行う（Ｓ１０４９）。また、ＵＥは、ターゲットｅＮＢとの同期を獲得し（Ｓ１０５１）、ＲＲＣコネクションリコンフィギュレーション完了メッセージをターゲットｅＮＢへ送信する（Ｓ１０５３）。
【００５０】
また、ソースｅＮＢは、ＳＮステータストランスファメッセージをターゲットｅＮＢへ送信し（Ｓ１０５５）、ターゲットｅＮＢへのデータの転送（forwarding）を行う（Ｓ１０５７）。
【００５１】
その後、ターゲットｅＮＢは、パス切替え要求メッセージをＭＭＥへ送信し（Ｓ１０５９）、ＭＭＥは、パス切替え要求ＡＣＫメッセージをターゲットｅＮＢへ送信する（Ｓ１０６１）。
【００５２】
＜＜２．通信システムの概略的な構成＞＞
続いて、図９及び図１０を参照して、本開示の実施形態に係る通信システム１の概略的な構成を説明する。図９は、本開示の実施形態に係る通信システム１の概略的な構成の一例を示す説明図である。図９を参照すると、通信システムは１、マクロ基地局１００、スモール基地局２００及び端末装置３００を含む。通信システム１は、例えば、ＬＴＥ、ＬＴＥ−Ａｄｖａｎｃｅｄ、又はこれらに準ずる通信規格に準拠したシステムである。
【００５３】
（マクロ基地局１００）
マクロ基地局１００は、マクロセル１０の基地局であり、マクロセル１０内に位置する端末装置３００との無線通信を行う。また、例えば、マクロ基地局１００は、バックホールを介してスモール基地局２００と通信する。
【００５４】
例えば、マクロ基地局１００は、マクロセル１０のＣＣ（Component  Carrier）を使用して無線通信を行う。
【００５５】
（スモール基地局２００）
スモール基地局２００は、マクロセル１０と重なるスモールセル２０の基地局であり、スモールセル２０内に位置する端末装置３００との無線通信を行う。また、例えば、スモール基地局２００は、バックホールを介してマクロ基地局１００と通信する。なお、スモールセル２０は、マクロセル１０より小さいセルであり、ピコセル、フェムトセル又はマイクロセルと呼ばれてもよい。
【００５６】
例えば、スモール基地局２００は、スモールセル２０のＣＣを使用して無線通信を行う。例えば、スモールセル２０のＣＣは、マクロセル１０のＣＣとは異なる。
【００５７】
なお、例えば、スモールセル２０は、ダウンリンクＣＣのみが使用可能なセルである。具体的には、例えば、スモールセル２０には、ダウンリンク帯域のみが割り当てられる。そのため、スモール基地局２００は、ダウンリンクＣＣを使用するが、アップリンクＣＣを使用しない。即ち、スモール基地局２００は、ダウンリンクでの無線通信を行うが、アップリンクの無線通信を行わない。スモールセル２０に割当てられる上記ダウンリンク帯域は、一例として、３ＧＰＰにおいて定められるオペレーティングバンド２９のようなダウンリンク専用帯域であってもよい。別の例として、無線ＬＡＮのための帯域（例えば、２.４ＧＨｚ帯及び／又は５ＧＨｚ帯）が、ダウンリンクに使用され、スモールセル２０に割当てられる上記ダウンリンク帯域は、無線ＬＡＮのための当該帯域であってもよい。そして、上記ダウンリンクＣＣは、無線ＬＡＮのための上記帯域に含まれる無線ＬＡＮのチャネル（又は当該チャネルの一部）であってもよい。
【００５８】
（端末装置３００）
端末装置３００は、マクロセル１０内に位置する場合にマクロ基地局１００との無線通信を行う。また、端末装置３００は、スモールセル２０内に位置する場合にスモール基地局２００との無線通信を行う。
【００５９】
端末装置３００は、キャリアアグリゲーションをサポートし、２つ以上のＣＣを使用して無線通信を行うことができる。例えば、端末装置３００は、マクロセル１０の２つ以上のＣＣを使用して、マクロ基地局１００と通信可能である。また、例えば、端末装置３００は、スモールセル２０の２つ以上のＣＣを使用して、スモール基地局２００と通信可能である。
【００６０】
とりわけ本開示の実施形態では、端末装置３００は、基地局間のキャリアアグリゲーションをサポートする。例えば、端末装置３００は、マクロセル１０のＣＣ及びスモールセル２０のＣＣを使用して無線通信を行うことが可能である。
【００６１】
（スモールセル２０の配置）
図９には、１つのスモールセル２０が、マクロセル１０と重なる例が示されているが、２つ以上のスモールセル２０が、マクロセル１０と重なってもよい。以下、この点について図１０を参照して具体例を説明する。
【００６２】
図１０は、スモールセル２０の配置の別の例を説明するための説明図である。図１０を参照すると、例えば、マクロセル１０と重なるスモールセル２０のクラスタが示されている。このように、２つ以上のスモールセル２０がマクロセル１０と重なってもよく、当該２つ以上のスモールセル２０は、クラスタであってもよい。
【００６３】
また、図９（及び図１０）には、スモールセル２０の全体がマクロセル１０と重なる例が示されているが、スモールセル２０の一部がマクロセル１０と重なってもよい。
【００６４】
＜＜３．各装置の構成＞＞
続いて、図１１〜図１６を参照して、本開示の実施形態に係る各装置の構成を説明する。
【００６５】
＜３．１．マクロ基地局１００の構成＞
まず、図１１〜図１４を参照して、本開示の実施形態に係るマクロ基地局１００の構成の一例を説明する。図１１は、本開示の実施形態に係るマクロ基地局１００の構成の一例を示すブロック図である。図１１を参照すると、マクロ基地局１００は、アンテナ部１１０、無線通信部１２０、ネットワーク通信部１３０、記憶部１４０及び処理部１５０を備える。
【００６６】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００６７】
（無線通信部１２０）
無線通信部１２０は、信号を送受信する。例えば、無線通信部１２０は、マクロセル１０のダウンリンクＣＣを使用して、マクロセル１０内に位置する端末装置３００へのダウンリンク信号を送信する。また、例えば、無線通信部１２０は、マクロセル１０のアップリンクＣＣを使用して、マクロセル１０内に位置する端末装置３００からのアップリンク信号を受信する。
【００６８】
（ネットワーク通信部１３０）
ネットワーク通信部１３０は、他のノードと通信する。例えば、ネットワーク通信部１３０は、スモール基地局２００と通信する。また、ネットワーク通信部１３０は、コアネットワークノード（例えば、ＭＭＥ（Mobility  Management  Entity）及びＳ−ＧＷ（Serving  Gateway）など）と通信する。
【００６９】
（記憶部１４０）
記憶部１４０は、マクロ基地局１００の動作のためのプログラム及びデータを一時的にまたは恒久的に記憶する。
【００７０】
（処理部１５０）
処理部１５０は、マクロ基地局１００の様々な機能を提供する。処理部１５０は、情報取得部１５１及び通信制御部１５３を含む。なお、処理部１５０は、これらの構成要素以外の他の構成要素をさらに含み得る。即ち、処理部１５０は、これらの構成要素の動作以外の動作も行い得る。
【００７１】
（情報取得部１５１）
情報取得部１５１は、端末装置３００により報告される測定結果（measurements）を取得する。
【００７２】
例えば、端末装置３００は、端末装置３００のためのアップリンクＰＣＣ及びダウンリンクＰＣＣとしてマクロセル１０のアップリンクＣＣ及びダウンリンクＣＣを使用し、情報取得部１５１は、当該端末装置３００により報告される測定結果を取得する。
【００７３】
具体的には、例えば、端末装置３００は、マクロセル１０の１つ以上のＣＣ及び／又はスモールセル２０の１つ以上のＣＣについての測定を行う。そして、端末装置３００は、イベントの発生に応じて、又は周期的に、これらのＣＣについての測定結果をマクロ基地局１００に報告する。そして、当該測定結果は、記憶部１４０に記憶される。その後のいずれかのタイミングで、情報取得部１５１は、上記測定結果を取得する。
【００７４】
一例として、上記測定結果は、ＲＳＲＰ（Reference  Signal  Received  Power）及び／又はＲＳＲＱ（Reference  Signal  Received  Quality）を含む。
【００７５】
（通信制御部１５３）
（ａ）ハンドオーバの決定
通信制御部１５３は、上記測定結果に基づいて、ＰＣＣを変更するハンドオーバを決定する。
【００７６】
上述したように、例えば、端末装置３００は、端末装置３００のためのアップリンクＰＣＣ及びダウンリンクＰＣＣとしてマクロセル１０のアップリンクＣＣ及びダウンリンクＣＣを使用し、情報取得部１５１は、当該端末装置３００により報告される測定結果を取得する。そして、通信制御部１５３は、当該測定結果に基づいて、上記アップリンクＰＣＣ及び上記ダウンリンクＰＣＣの少なくとも一方を変更するハンドオーバを決定する。
【００７７】
とりわけ本開示の実施形態では、通信制御部１５３は、所定の条件が満たされる場合に、上記アップリンクＰＣＣを（マクロセル１０の上記アップリンクＣＣから）変更せずに上記ダウンリンクＰＣＣをマクロセル１０の上記ダウンリンクＣＣからスモールセル２０のダウンリンクＣＣへ変更するハンドオーバ（以下、「特別なハンドオーバ」と呼ぶ）を決定する。
【００７８】
これにより、例えば、マクロセル１０の無線リソースの消費をより小さくすることが可能になる。より具体的には、例えば、スモールセル２０が、ダウンリンクＣＣのみが使用可能なセルであっても、端末装置３００のためのダウンリンクＰＣＣが、スモールセル２０のダウンリンクＣＣになり得る。そのため、マクロセル１０のダウンリンクの無線リソースの消費が小さくなり得る。
【００７９】
−所定の条件
上記所定の条件は、１つ以上の条件が満たされる場合に満たされる。なお、上記所定の条件は、他の１つ以上の条件が満たされる場合にも満たされてもよい。当該他の１つ以上の条件のうちの少なくとも１つの条件は、上記１つ以上の条件に含まれる条件であってもよい。
【００８０】
−−端末装置３００による所定のメッセージの送信
例えば、上記所定の条件は、端末装置３００によりマクロ基地局１００へ所定のメッセージが送信されることを含む。
【００８１】
例えば、上記所定の条件は、１つ以上の条件を含み、当該１つ以上の条件が満たされる場合に満たされる。この場合に、上記１つ以上の条件のうちの１つが、端末装置３００によりマクロ基地局１００へ所定のメッセージが送信されることである。例えば、通信制御部１５３は、上記所定のメッセージが端末装置３００によりマクロ基地局１００へ送信され、且つ、上記１つ以上の条件のうちの残りの条件も満たされる場合に、上記特別なハンドオーバを決定する。
【００８２】
なお、端末装置３００によりマクロ基地局１００へ所定のメッセージが送信されない場合であっても、他の１つ以上の条件が満たされる場合に、上記所定の条件が満たされてもよい。
【００８３】
−−−第１の例
第１の例として、上記所定のメッセージは、端末装置３００のモビリティ（mobility）が低いことを示すメッセージを含む。
【００８４】
例えば、上記所定のメッセージは、端末装置３００のモビリティが低いことを示す静止標識（Stationary  Indication）を含むメッセージを含む。即ち、上記所定の条件は、上記静止標識を含む上記メッセージが端末装置３００により送信されることを含む。
【００８５】
具体的には、例えば、端末装置３００は、端末装置３００のユーザによる指示、又は端末装置３００の設定に基づいて、上記静止標識を含むメッセージをマクロ基地局１００へ送信する。通信制御部１５３は、上記メッセージが端末装置３００により送信され、且つ残りの条件が満たされる場合に、上記特別なハンドオーバを決定する。
【００８６】
これにより、例えば、端末装置３００のモビリティが低い場合に、端末装置３００のためのダウンリンクＰＣＣがマクロセル１０のダウンリンクＣＣからスモールセル２０のダウンリンクＣＣに変更され得る。その結果、例えば、マクロセル１０の無線リソースの消費がより小さくなり、且つ、端末装置３００による無線通信は切断なく継続する。
【００８７】
−−−第２の例
第２の例として、上記所定のメッセージは、端末装置３００が低消費電力を好むことを示すメッセージを含む。
【００８８】
例えば、上記所定のメッセージは、低消費電力（Low  Power  Consumption）に設定された電力プリファレンス標識（Power  Preference  Indication）を含むＵＥ支援情報（UE  Assistance  Information）メッセージを含む。即ち、上記所定の条件は、上記電力プリファレンス標識を含むＵＥ支援情報メッセージが端末装置３００により送信されることを含む。
【００８９】
具体的には、例えば、端末装置３００は、端末装置３００のユーザによる指示、又は端末装置３００の設定に基づいて、低消費電力に設定された電力プリファレンス標識を含むＵＥ支援情報メッセージをマクロ基地局１００へ送信する。通信制御部１５３は、上記ＵＥ支援情報メッセージが端末装置３００により送信され、且つ残りの条件が満たされる場合に、上記特別なハンドオーバを決定する。
【００９０】
これにより、例えば、端末装置３００が低消費電力を望む場合に、端末装置３００のためのダウンリンクＰＣＣがマクロセル１０のダウンリンクＣＣからスモールセル２０のダウンリンクＣＣに変更され得る。その結果、例えば、マクロセル１０の無線リソースの消費がより小さなり、且つ、端末装置３００の消費電力が小さくなる。
【００９１】
−−−第３の例
第３の例として、マクロセル１０は、ＭＢＭＳサービスが提供されないセルであり、スモールセル２０は、ＭＢＭＳサービスが提供されるセルである。そして、上記所定のメッセージは、端末装置３００がユニキャストの受信よりもＭＢＭＳの受信を優先することを示すメッセージを含む。
【００９２】
例えば、上記所定のメッセージは、ＴｒｕｅであるＭＢＭＳ優先度を含むＭＢＭＳインタレストインディケーションメッセージを含む。即ち、上記所定の条件は、上記ＭＢＭＳ優先度を含む上記ＭＢＭＳインタレストインディケーションメッセージが端末装置３００により送信されることを含む。
【００９３】
具体的には、例えば、端末装置３００は、端末装置３００のユーザによる指示、又は端末装置３００の設定に基づいて、ＴｒｕｅであるＭＢＭＳ優先度を含むＭＢＭＳインタレストインディケーションメッセージをマクロ基地局１００へ送信する。通信制御部１５３は、上記ＭＢＭＳインタレストインディケーションメッセージが端末装置３００により送信され、且つ残りの条件が満たされる場合に、上記特別なハンドオーバを決定する。
【００９４】
これにより、例えば、端末装置３００がスモールセルにおけるＭＢＭＳの受信を望む場合に、端末装置３００のためのダウンリンクＰＣＣがマクロセル１０のダウンリンクＣＣからスモールセル２０のダウンリンクＣＣに変更され得る。その結果、例えば、マクロセル１０の無線リソースの消費がより小さくなり、且つ、端末装置３００はＭＢＭＳを受信し得る。
【００９５】
以上のように、例えば、上記所定の条件は、端末装置３００によりマクロ基地局１００へ所定のメッセージが送信されることを含む。これにより、例えば、端末装置３００の状況に応じて、端末装置３００のためのダウンリンクＰＣＣをマクロセル１０のダウンリンクＣＣからスモールセル２０のダウンリンクＣＣに変更することが可能になる。
【００９６】
−−測定結果
例えば、上記所定の条件は、スモールセル２０のダウンリンクＣＣについての測定結果が良好であることを含む。
【００９７】
例えば、上記所定の条件は、１つ以上の条件を含み、当該１つ以上の条件が満たされる場合に満たされる。この場合に、上記１つ以上の条件のうちの１つが、スモールセル２０のダウンリンクＣＣについての測定結果が良好であることである。例えば、通信制御部１５３は、スモールセル２０のダウンリンクＣＣについての測定結果が良好であり、且つ、上記１つ以上の条件のうちの残りの条件も満たされる場合に、上記特別なハンドオーバを決定する。
【００９８】
より具体的には、例えば、上記所定の条件は、スモールセル２０のダウンリンクＣＣについての測定結果がマクロセル１０のダウンリンクＣＣについての測定結果と比べて良好であることを含む。一例として、上記所定の条件は、スモールセル２０のダウンリンクＣＣについてのＲＳＲＰ（又はＲＳＲＱ）からマクロセル１０のダウンリンクＣＣについてのＲＳＲＰ（又はＲＳＲＱ）を差し引くことにより得られる差分が所定の閾値を超えることを含む。
【００９９】
これにより、例えば、端末装置３００がスモールセル２０において良好な通信品質を得られる場合に、端末装置３００のためのダウンリンクＰＣＣをマクロセル１０のダウンリンクＣＣからスモールセル２０のダウンリンクＣＣに変更することが可能になる。
【０１００】
（ｂ）スモール基地局２００へのハンドオーバの要求
例えば、通信制御部１５３は、ハンドオーバの決定後に、スモール基地局２００にハンドオーバを要求する。
【０１０１】
例えば、上述したように、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が決定される。その後、通信制御部１５３は、スモール基地局２００に上記特別なハンドオーバを要求する。
【０１０２】
具体的には、例えば、通信制御部１５３は、上記特別なハンドオーバのためのハンドオーバ要求メッセージを生成し、ネットワーク通信部１３０を介して、当該ハンドオーバ要求メッセージをスモール基地局２００へ送信する。
【０１０３】
これにより、例えば、スモール基地局２００に上記特別なハンドオーバのために動作させることが可能になる。
【０１０４】
（ｃ）ハンドオーバの実行のためのメッセージの送信
例えば、通信制御部１５３は、ハンドオーバの実行のためのメッセージの、端末装置３００への送信を制御する。
【０１０５】
例えば、上述したように、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が決定される。この場合に、例えば、通信制御部１５３は、上記特別なハンドオーバの実行のためのメッセージの、上記端末装置３００への送信を制御する。
【０１０６】
−メッセージの具体例
具体的には、例えば、上記特別なハンドオーバの実行のための上記メッセージは、ＲＲＣコネクションリコンフィギュレーションメッセージである。例えば、当該ＲＲＣコンフィギュレーションメッセージは、アップリンクキャリア周波数及びダウンリンクキャリア周波数を情報要素（Information  Element）として有するモビリティ制御情報（Mobility  Control  Information）を含む。そして、当該モビリティ制御情報は、上記アップリンクキャリア周波数として、マクロセル１０のアップリンクＣＣを示し、上記ダウンリンクキャリア周波数として、スモールセル２０のダウンリンクＣＣを示す。あるいは、上記モビリティ制御情報は、上記アップリンクキャリア周波数としていずれのＣＣも示さず、上記ダウンリンクキャリア周波数としてスモールセル２０のダウンリンクＣＣを示してもよい。
【０１０７】
−動作の具体例
例えば、上記特別なハンドオーバが決定されると、上述したように、マクロ基地局１００は、上記特別なハンドオーバのためのハンドオーバ要求メッセージをスモール基地局２００へ送信する。その後、スモール基地局２００が、上記特別なハンドオーバの実行のためのＲＲＣコンフィギュレーションメッセージを生成する。そして、スモール基地局２００は、上記ＲＲＣコンフィギュレーションメッセージを含むハンドオーバ要求ＡＣＫメッセージをマクロ基地局１００へ送信し、マクロ基地局１００は、当該ハンドオーバ要求ＡＣＫメッセージを受信する。さらに、通信制御部１５３は、上記端末装置３００への上記ＲＲＣコンフィギュレーションメッセージの送信のために無線リソース（例えば、リソースブロック）を割り当てる。その後、当該ＲＲＣコンフィギュレーションメッセージは、マクロ基地局１００により上記端末装置３００へ送信される。
【０１０８】
なお、上記ＲＲＣコンフィギュレーションメッセージは、スモール基地局２００の代わりに、マクロ基地局１００（例えば、通信制御部１５３）により生成されてもよい。この場合に、マクロ基地局１００は、上記ＲＲＣコンフィギュレーションメッセージの生成に必要な情報を、スモール基地局２００により提供されてもよい。
【０１０９】
以上のように、上記特別なハンドオーバの実行のためのメッセージが送信される。これにより、例えば、端末装置３００は、アップリンクＰＣＣをマクロセル１０のＣＣから変更せずに、ダウンリンクＰＣＣをマクロセル１０のＣＣからスモールセル２０のＣＣへ変更することが可能になる。
【０１１０】
（ｄ）ＣＣの使用
通信制御部１５３は、端末装置３００との無線通信のためにマクロセル１０のＣＣを使用する。
【０１１１】
例えば、通信制御部１５３は、端末装置３００との無線通信のために、マクロセル１０のＣＣの無線リソースを割り当てる。具体的には、例えば、通信制御部１５３は、端末装置３００によるアップリンク送信のために、マクロセル１０のアップリンクＣＣの無線リソースを割り当てる。また、例えば、通信制御部１５３は、端末装置３００へのダウンリンク送信のために、マクロセル１０のダウンリンクＣＣの無線リソースを割り当てる。
【０１１２】
−特別なハンドオーバ後のＣＣの使用
例えば、上述したように、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が決定される。そして、上記特別なハンドオーバが実行される。
【０１１３】
−−マクロセル１０のアップリンクＣＣ
通信制御部１５３は、上記特別なハンドオーバの実行後に、上記端末装置３００との無線通信のために、マクロセル１０のアップリンクＣＣを上記端末装置３００のためのアップリンクＰＣＣとして使用する。なお、端末装置３００は、上記特別なハンドオーバの実行後に、当該端末装置３００のためのアップリンクＰＣＣとしてマクロセル１０のアップリンクＣＣを使用し、当該端末装置３００のためのダウンリンクＰＣＣとしてスモールセル２０のダウンリンクＣＣを使用する。
【０１１４】
−−マクロセル１０のダウンリンクＣＣ
−−−第１の例
例えば、通信制御部１５３は、上記特別なハンドオーバの実行後に、上記端末装置３００との無線通信のためにマクロセル１０の上記ダウンリンクＣＣを使用しない。即ち、上記端末装置３００のためのダウンリンクＰＣＣとして使用されていたマクロセル１０のダウンリンクＣＣは、上記端末装置３００との無線通信に使用されない。
【０１１５】
例えば、上記特別なハンドオーバの実行後に、マクロセル１０の上記ダウンリンクＣＣのデアクティベーション（deactivation）が行われる。そして、マクロ基地局１００（通信制御部１５３）は、上記端末装置３００との無線通信のためにマクロセル１０の上記ダウンリンクＣＣの無線リソースを割り当てない。以下、この点について、図１２及び図１３を参照して、具体例を説明する。
【０１１６】
図１２は特別なハンドオーバの前のＣＣの使用状況の例を説明するための説明図である。図１２を参照すると、例えば、特別なハンドオーバの前には、端末装置３００は、アップリンクＰＣＣとして、マクロセル１０用のアップリンク帯域３０のうちのアップリンクＣＣ３１を使用する。また、端末装置３００は、ダウンリンクＰＣＣとして、マクロセル１０用のダウンリンク帯域４０のうちのダウンリンクＣＣ４１を使用する。マクロ基地局１００（通信制御部１５３）は、端末装置３００との無線通信のために、アップリンクＣＣ３１及びダウンリンクＣＣ４１を使用する。
【０１１７】
図１３は、特別なハンドオーバの後のＣＣの使用状況の第１の例を説明するための説明図である。図１３を参照すると、例えば、特別なハンドオーバの後には、端末装置３００は、アップリンクＰＣＣとしてアップリンクＣＣ３１を引き続き使用しつつ、ダウンリンクＰＣＣとして、スモールセル２０用のダウンリンク帯域５０のうちのダウンリンクＣＣ５１を使用する。マクロ基地局１００（通信制御部１５３）は、端末装置３００との無線通信のために、アップリンクＣＣ３１を端末装置３００のためのアップリンクＰＣＣとして引き続き使用する。そして、特別なハンドオーバの前はダウンリンクＰＣＣであったダウンリンクＣＣ４１は、特別なハンドオーバの後には使用されない。
【０１１８】
以上のように、マクロセル１０の上記ダウンリンクＣＣは、上記特別なハンドオーバの後に使用されない。これにより、例えば、マクロセル１０の無線リソースの消費をより小さくすることが可能になる。
【０１１９】
なお、一例として、マクロセル１０の上記ダウンリンクＣＣのデアクティベーションは、上記特別なハンドオーバの実行のためのメッセージ（例えば、ＲＲＣコネクションリコンフィギュレーションメッセージ）を受信する上記端末装置３００により自主的に行われる。別の例として、上記デアクティベーションは、ＭＡＣ制御エレメント（MAC  Control  Element）又はＲＲＣコネクションリコンフィギュレーションメッセージを通じて、マクロ基地局１００（例えば、通信制御部１５３）により行われてもよい。このようなダウンリンクＣＣのみのデアクティベーションのための新たな手続きが規格において定められ得る。
【０１２０】
−−−第２の例
通信制御部１５３は、上記特別なハンドオーバの実行後に、上記端末装置３００との無線通信のためにマクロセル１０の上記ダウンリンクＣＣを上記端末装置３００のためのダウンリンクＳＣＣとして使用してもよい。
【０１２１】
例えば、上記特別なハンドオーバの実行後にも、マクロ基地局１００（通信制御部１５３）は、上記端末装置３００との無線通信のためにマクロセル１０の上記ダウンリンクＣＣの無線リソースを割り当ててもよい。以下、この点について、図１４を参照して、具体例を説明する。
【０１２２】
図１４は、特別なハンドオーバの後のＣＣの使用状況の第２の例を説明するための説明図である。図１４を参照すると、例えば、特別なハンドオーバの後には、端末装置３００は、アップリンクＰＣＣとしてアップリンクＣＣ３１を引き続き使用しつつ、ダウンリンクＰＣＣとして、スモールセル２０用のダウンリンク帯域５０のうちのダウンリンクＣＣ５１を使用する。また、端末装置３００は、特別なハンドオーバの前はダウンリンクＰＣＣであったダウンリンクＣＣ４１を、ダウンリンクＳＣＣとして使用する。マクロ基地局１００（通信制御部１５３）は、端末装置３００との無線通信のために、アップリンクＣＣ３１を端末装置３００のためのアップリンクＰＣＣとして使用する。また、マクロ基地局１００（通信制御部１５３）は、端末装置３００との無線通信のために、ダウンリンクＣＣ４１を端末装置３００のためのダウンリンクＳＣＣとして使用する。
【０１２３】
以上のように、マクロセル１０の上記ダウンリンクＣＣは、上記特別なハンドオーバの後にＳＣＣとして使用されてもよい。これにより、例えば、端末装置３００にとってのダウンリンクのスループットが向上し得る。
【０１２４】
＜３．２．スモール基地局２００の構成＞
次に、図１５を参照して、本開示の実施形態に係るスモール基地局２００の構成の一例を説明する。図１５は、本開示の実施形態に係るスモール基地局２００の構成の一例を示すブロック図である。図１５を参照すると、スモール基地局２００は、アンテナ部２１０、無線通信部２２０、ネットワーク通信部２３０、記憶部２４０及び処理部２５０を備える。
【０１２５】
（アンテナ部２１０）
アンテナ部２１０は、無線通信部２２０により出力される信号を電波として空間に放射する。
【０１２６】
（無線通信部２２０）
無線通信部２２０は、信号を送信する。例えば、無線通信部２２０は、スモールセル２０のダウンリンクＣＣを使用して、スモールセル２０内に位置する端末装置３００へのダウンリンク信号を送信する。
【０１２７】
（ネットワーク通信部２３０）
ネットワーク通信部２３０は、他のノードと通信する。例えば、ネットワーク通信部２３０は、マクロ基地局１００と通信する。また、ネットワーク通信部１３０は、コアネットワークノード（例えば、ＭＭＥ及びＳ−ＧＷなど）と通信する。
【０１２８】
（記憶部２４０）
記憶部２４０は、スモール基地局２００の動作のためのプログラム及びデータを一時的にまたは恒久的に記憶する。
【０１２９】
（処理部２５０）
処理部２５０は、スモール基地局２００の様々な機能を提供する。処理部２５０は、情報取得部２５１及び通信制御部２５３を含む。なお、処理部２５０は、これらの構成要素以外の他の構成要素をさらに含み得る。即ち、処理部２５０は、これらの構成要素の動作以外の動作も行い得る。
【０１３０】
（情報取得部２５１）
情報取得部２５１は、他の基地局により送信されるハンドオーバ要求メッセージを取得する。
【０１３１】
例えば、他の基地局が、端末装置３００のためのダウンリンクＰＣＣをスモールセル２０のダウンリンクＣＣへ変更するハンドオーバを決定する。すると、他の基地局は、当該ハンドオーバのためのハンドオーバ要求メッセージをスモール基地局２００へ送信する。そして、情報取得部２５１は、当該ハンドオーバ要求メッセージを取得する。
【０１３２】
例えば、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が、マクロ基地局１００により決定される。すると、情報取得部２５１は、上記特別なハンドオーバのためのハンドオーバ要求メッセージを取得する。
【０１３３】
（通信制御部２５３）
（ａ）ハンドオーバに関する制御
−アドミッション制御（admission  control）
例えば、通信制御部２５３は、スモールセル２０についてのアドミッション制御を行う。
【０１３４】
具体的には、例えば、情報取得部２５１が、他の基地局により送信されるハンドオーバ要求メッセージを取得すると、通信制御部２５３は、当該ハンドオーバ要求メッセージに基づいて、アドミッション制御を行う。
【０１３５】
−ハンドオーバの実行のためのメッセージの生成
例えば、通信制御部２５３は、ハンドオーバの実行のためのメッセージであって、端末装置３００へ送信される当該メッセージを生成する。当該メッセージは、例えば、ＲＲＣコネクションリコンフィギュレーションメッセージである。
【０１３６】
例えば、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が決定される。この場合に、例えば、通信制御部２５３は、上記特別なハンドオーバの実行のためのメッセージであって、端末装置３００へ送信される当該メッセージを生成する。当該メッセージの具体例は、マクロ基地局１００（通信制御部１５３）に関連して説明したとおりである。
【０１３７】
例えば、通信制御部２５３は、ネットワーク通信部２３０を介して、上記特別なハンドオーバの実行のための上記メッセージ（例えば、ＲＲＣコネクションリコンフィギュレーションメッセージ）を含むハンドオーバ要求ＡＣＫメッセージをマクロ基地局１００へ送信する。
【０１３８】
なお、通信制御部２５３は、上記特別なハンドオーバの実行のための上記メッセージ（例えば、ＲＲＣコネクションリコンフィギュレーションメッセージ）を生成する代わりに、当該メッセージを生成するために必要な情報をマクロ基地局１００に提供してもよい。
【０１３９】
−パス切替え要求（path  switch  request）
例えば、通信制御部２５３は、ＭＭＥにパスの切替えを要求する。具体的には、例えば、通信制御部２５３は、ハンドオーバの際に、ネットワーク通信部２３０を介して、パス切替え要求メッセージをＭＭＥへ送信する。
【０１４０】
（ｂ）ＣＣの使用
通信制御部２５３は、端末装置３００との無線通信のためにスモールセル２０のＣＣを使用する。
【０１４１】
上述したように、例えば、スモールセル２０は、ダウンリンクＣＣのみが使用可能なセルであり、スモール基地局２００は、ダウンリンクＣＣを使用するが、アップリンクＣＣを使用しない。この場合に、通信制御部１５３は、端末装置３００へのダウンリンク送信のためにスモールセル２０のダウンリンクＣＣを使用する。具体的には、例えば、通信制御部１５３は、端末装置３００へのダウンリンク送信のために、スモールセル２０のダウンリンクＣＣの無線リソースを割り当てる。
【０１４２】
−特別なハンドオーバの後のＣＣの使用
例えば、上記特別なハンドオーバ（即ち、端末装置３００のためのアップリンクＰＣＣをマクロセル１０のアップリンクＣＣから変更せずに上記端末装置３００のためのダウンリンクＰＣＣをマクロセル１０のダウンリンクＣＣからスモールセル２０のダウンリンクＣＣへ変更するハンドオーバ）が決定される。そして、上記特別なハンドオーバが実行される。
【０１４３】
通信制御部２５３は、上記特別なハンドオーバの実行後に、上記端末装置３００との無線通信のために、スモールセル２０のダウンリンクＣＣを上記端末装置３００のためのダウンリンクＰＣＣとして使用する。
【０１４４】
＜３．３．端末装置３００の構成＞
次に、図１６を参照して、本開示の実施形態に係る端末装置３００の構成の一例を説明する。図１６は、本開示の実施形態に係る端末装置３００の構成の一例を示すブロック図である。図１６を参照すると、端末装置３００は、アンテナ部３１０、無線通信部３２０、記憶部３３０及び処理部３４０を備える。
【０１４５】
（アンテナ部３１０）
アンテナ部３１０は、無線通信部３２０により出力される信号を電波として空間に放射する。また、アンテナ部３１０は、空間の電波を信号に変換し、当該信号を無線通信部３２０へ出力する。
【０１４６】
（無線通信部３２０）
無線通信部３２０は、信号を送受信する。
【０１４７】
例えば、無線通信部３２０は、マクロセル１０のダウンリンクＣＣを使用して、マクロ基地局１００により送信されるダウンリンク信号を受信する。また、例えば、無線通信部３２０は、マクロセル１０のアップリンクＣＣを使用して、マクロ基地局１００へのアップリンク信号を送信する。
【０１４８】
例えば、無線通信部３２０は、スモールセル２０のダウンリンクＣＣを使用して、スモール基地局２００により送信されるダウンリンク信号を受信する。
【０１４９】
（記憶部３３０）
記憶部３３０は、端末装置３００の動作のためのプログラム及びデータを一時的にまたは恒久的に記憶する。
【０１５０】
（処理部３４０）
処理部３４０は、端末装置３００の様々な機能を提供する。処理部３４０は、情報取得部３４１及び通信制御部３４３を含む。なお、処理部３４０は、これらの構成要素以外の他の構成要素をさらに含み得る。即ち、処理部３４０は、これらの構成要素の動作以外の動作も行い得る。
【０１５１】
（情報取得部３４１）
情報取得部３４１は、ハンドオーバの実行のためのメッセージであって、基地局により端末装置３００へ送信される当該メッセージを取得する。
【０１５２】
上述したように、例えば、マクロ基地局１００は、上記特別なハンドオーバ（即ち、端末装置３００のためのアップリンクＰＣＣをマクロセル１０のアップリンクＣＣから変更せずに端末装置３００のためのダウンリンクＰＣＣをマクロセル１０のダウンリンクＣＣからスモールセル２０のダウンリンクＣＣへ変更するハンドオーバ）を決定する。すると、マクロ基地局１００は、上記特別なハンドオーバの実行のためのメッセージを端末装置３００へ送信し、情報取得部３４１は、当該メッセージを取得する。
【０１５３】
（通信制御部３４３）
（ａ）基地局へのメッセージの送信
−第１の例
例えば、通信制御部３４３は、端末装置３００のモビリティが低いかを示すメッセージを生成し、基地局への当該メッセージの送信を制御する。当該基地局は、例えば、マクロ基地局１００である。なお、当該基地局は、スモール基地局２００であってもよい。
【０１５４】
−−メッセージの具体例
例えば、上記メッセージは、静止標識（Stationary  Indication）を含む。また、当該静止標識は、例えば、端末装置３００のモビリティが低いか否かを示す。
【０１５５】
例えば、端末装置３００のモビリティが低いことを示す静止標識を含むメッセージが、通信制御部３４３による制御を通じて、端末装置３００により基地局へ送信される。
【０１５６】
−−動作の具体例
例えば、通信制御部３４３は、端末装置３００のユーザによる指示、又は端末装置３００の設定に基づいて、上記静止標識を含む上記メッセージを生成する。そして、通信制御部３４３は、上記メッセージの信号を、アップリンクＣＣの無線リソースのうちの、端末装置３００に割り当てられた無線リソースにマッピングする。これにより、上記メッセージが、基地局へ送信される。
【０１５７】
これにより、例えば、上記基地局が、端末装置３００がモビリティが低いかを認識することが可能になる。
【０１５８】
−第２の例
例えば、通信制御部３４３は、端末装置３００が低消費電力を好むかを示すメッセージを生成し、基地局への当該メッセージの送信を制御する。当該基地局は、例えば、マクロ基地局１００である。なお、当該基地局は、スモール基地局２００であってもよい。
【０１５９】
−−メッセージの具体例
例えば、上記メッセージは、電力プリファレンス標識（Power  Preference  Indication）を含むＵＥ支援情報（UE  Assistance  Information）メッセージである。上記電力プリファレンス標識は、低消費電力（Low  Power  Consumption）に設定される場合に、端末装置３００が低消費電力を好むことを示す。
【０１６０】
例えば、低消費電力に設定された電力プリファレンス標識を含むＵＥ支援情報メッセージが、通信制御部３４３による制御を通じて、端末装置３００により基地局へ送信される。
【０１６１】
−−動作の具体例
例えば、通信制御部３４３は、端末装置３００のユーザによる指示、又は端末装置３００の設定に基づいて、上記ＵＥ支援情報メッセージを生成する。そして、通信制御部３４３は、上記ＵＥ支援情報メッセージの信号を、アップリンクＣＣの無線リソースのうちの、端末装置３００に割り当てられた無線リソースにマッピングする。これにより、上記ＵＥ支援情報メッセージが、基地局へ送信される。
【０１６２】
−第３の例
例えば、通信制御部３４３は、端末装置３００がユニキャストの受信よりもＭＢＭＳの受信を優先するかを示すメッセージを生成し、基地局への当該メッセージの送信を制御する。当該基地局は、例えば、マクロ基地局１００である。なお、当該基地局は、スモール基地局２００であってもよい。
【０１６３】
−−メッセージの具体例
例えば、上記メッセージは、ＭＢＭＳ優先度を含むＭＢＭＳインタレストインディケーションメッセージである。上記ＭＢＭＳ優先度は、Ｔｒｕｅである場合に、端末装置３００がユニキャストの受信よりもＭＢＭＳの受信を優先することを示す。
【０１６４】
例えば、ＴｒｕｅであるＭＢＭＳ優先度を含むＭＢＭＳインタレストインディケーションメッセージが、通信制御部３４３による制御を通じて、端末装置３００により基地局へ送信される。
【０１６５】
−−動作の具体例
例えば、通信制御部３４３は、端末装置３００のユーザによる指示、又は端末装置３００の設定に基づいて、上記ＭＢＭＳインタレストインディケーションメッセージを生成する。そして、通信制御部３４３は、上記ＭＢＭＳインタレストインディケーションメッセージの信号を、アップリンクＣＣの無線リソースのうちの、端末装置３００に割り当てられた無線リソースにマッピングする。これにより、上記ＭＢＭＳインタレストインディケーションメッセージが、基地局へ送信される。
【０１６６】
（ｂ）ＣＣの使用
−ＰＣＣの使用
例えば、通信制御部３４３は、端末装置３００のためのＰＣＣとしてＣＣを使用する。
−−アップリンクＰＣＣ
例えば、通信制御部３４３は、アップリンクＣＣを端末装置３００のためのアップリンクＰＣＣとして使用する。
【０１６７】
具体的には、例えば、通信制御部３４３は、上記アップリンクＣＣの無線リソースのうちの、ＰＵＣＣＨ（Physical  Uplink  Control  Channel）の無線リソースに、アップリンク制御情報（Uplink  Control  Information：ＵＣＩ）の信号をマッピングする。これにより、アップリンクＰＣＣのＰＵＣＣＨ上で、上記アップリンク制御情報が送信される。上記アップリンク制御情報は、例えば、ＣＳＩ（Channel  State  Information）、スケジュール要求（Scheduling  Request）及びＨＡＲＱ（Hybrid  Automatic  Repeat  Request）  ＡＣＫなどを含む。
【０１６８】
また、例えば、通信制御部３４３は、上記アップリンクＣＣの無線リソースのうちの、ＰＵＳＣＨ（Physical  Uplink  Shared  Channel）の無線リソースに、データの信号をマッピングする。これにより、アップリンクＰＣＣのＰＵＳＣＨ上で、上記データの上記信号が送信される。
【０１６９】
−−ダウンリンクＰＣＣ
例えば、通信制御部３４３は、ダウンリンクＣＣを端末装置３００のためのダウンリンクＰＣＣとして使用する。
【０１７０】
具体的には、例えば、端末装置３００宛のＮＡＳ（Non-Access  Stratum）メッセージが、端末装置３００のためのダウンリンクＰＣＣであるダウンリンクＣＣを使用して送信される。より具体的には、上記ＮＡＳメッセージが、上記ダウンリンクＣＣのＰＤＳＣＨ（Physical  Downlink  Shared  Channel）上で送信される。そして、通信制御部３４３は、例えば、上記ダウンリンクＣＣ（即ち、ダウンリンクＰＣＣ）のＰＤＳＣＨ上で送信される上記ＮＡＳメッセージを取得する。
【０１７１】
また、例えば、通信制御部３４３は、上記ダウンリンクＣＣ（即ち、ダウンリンクＰＣＣ）のＰＤＳＣＨ上で送信される端末装置３００宛のデータを取得する。
【０１７２】
−ＳＣＣの使用
例えば、通信制御部３４３は、端末装置３００のためのＳＣＣとしてＣＣを使用する。
【０１７３】
−−アップリンクＳＣＣ
例えば、通信制御部３４３は、アップリンクＣＣを端末装置３００のためのアップリンクＳＣＣとして使用する。
【０１７４】
具体的には、例えば、通信制御部３４３は、上記アップリンクＣＣの無線リソースのうちの、ＰＵＳＣＨの無線リソースに、データの信号をマッピングする。これにより、アップリンクＳＣＣのＰＵＳＣＨ上で、上記データの上記信号が送信される。
【０１７５】
−−ダウンリンクＳＣＣ
例えば、通信制御部３４３は、ダウンリンクＣＣを端末装置３００のためのダウンリンクＳＣＣとして使用する。
【０１７６】
具体的には、例えば、通信制御部３４３は、上記ダウンリンクＣＣ（即ち、ダウンリンクＳＣＣ）のＰＤＳＣＨ上で送信される端末装置３００宛のデータを取得する。
【０１７７】
−上記特別なハンドオーバの前後でのＰＣＣの使用
例えば、通信制御部３４３は、マクロセル１０のアップリンクＣＣ及びダウンリンクＣＣを、端末装置３００のためのアップリンクＰＣＣ及びダウンリンクＰＣＣとして使用する。
【０１７８】
その後、上述したように、例えば、マクロ基地局１００は、上記特別なハンドオーバ（端末装置３００のためのアップリンクＰＣＣをマクロセル１０のアップリンクＣＣから変更せずに端末装置３００のためのダウンリンクＰＣＣをマクロセル１０のダウンリンクＣＣからスモールセル２０のダウンリンクＣＣへ変更するハンドオーバ）を決定する。すると、マクロ基地局１００は、上記特別なハンドオーバの実行のためのメッセージ（例えば、ＲＲＣコネクションリコンフィギュレーションメッセージ）を端末装置３００へ送信し、情報取得部３４１は、当該メッセージを取得する。
【０１７９】
そして、通信制御部３４３は、上記特別なハンドオーバの実行後に、マクロセル１０の上記アップリンクＣＣを上記アップリンクＰＣＣとして使用し、スモールセル２０の上記ダウンリンクＣＣを上記ダウンリンクＰＣＣとして使用する。
【０１８０】
具体的には、例えば、通信制御部３４３による制御を通じて、端末装置３００は、上記マクロセル１０の上記アップリンクＣＣ（アップリンクＰＣＣ）を使用して、上記特別なハンドオーバの実行のための上記メッセージに対する応答メッセージをマクロ基地局１００へ送信する。当該応答メッセージは、例えば、ＲＲＣコネクションリコンフィギュレーション完了メッセージである。そして、当該応答メッセージの送信後に、通信制御部３４３は、マクロセル１０の上記アップリンクＣＣを上記アップリンクＰＣＣとして引き続き使用しつつ、スモールセル２０の上記ダウンリンクＣＣをダウンリンクＰＣＣとして使用する。
【０１８１】
これにより、例えば、マクロセル１０の無線リソースの消費をより小さくすることが可能になる。より具体的には、例えば、スモールセル２０が、ダウンリンクＣＣのみが使用可能なセルであっても、端末装置３００のためのダウンリンクＰＣＣが、スモールセル２０のダウンリンクＣＣになり得る。そのため、マクロセル１０のダウンリンクの無線リソースの消費が小さくなり得る。
【０１８２】
−特別なハンドオーバの後のマクロセル１０のダウンリンクＣＣの使用
−−第１の例
例えば、通信制御部３４３は、上記特別なハンドオーバの実行後に、マクロ基地局１００との無線通信のためにマクロセル１０の上記ダウンリンクＣＣ（即ち、上記特別なハンドオーバの前にダウンリンクＰＣＣとして使用されていたダウンリンクＣＣ）を使用しない。
【０１８３】
例えば、上記特別なハンドオーバの実行後に、マクロセル１０の上記ダウンリンクＣＣのデアクティベーションが行われる。一例として、当該デアクティベーションは、上記特別なハンドオーバの実行のためのメッセージ（例えば、ＲＲＣコネクションリコンフィギュレーションメッセージ）の受信に応じて、端末装置３００（例えば、通信制御部３４３）により自主的に行われる。別の例として、上記デアクティベーションは、ＭＡＣ制御エレメント又はＲＲＣコネクションリコンフィギュレーションメッセージを通じて、マクロ基地局１００により行われてもよい。このようなダウンリンクＣＣのみのデアクティベーションのための新たな手続きが規格において定められ得る。
【０１８４】
これにより、例えば、マクロセル１０の無線リソースの消費をより小さくすることが可能になる。
【０１８５】
−−第２の例
通信制御部３４３は、上記特別なハンドオーバの実行後に、マクロ基地局１００との無線通信のためにマクロセル１０の上記ダウンリンクＣＣを端末装置３００のためのダウンリンクＳＣＣとして使用してもよい。
【０１８６】
例えば、上記特別なハンドオーバの実行後にも、通信制御部３４３は、上記ダウンリンクＣＣ（即ち、ダウンリンクＳＣＣ）のＰＤＳＣＨ上で送信される端末装置３００宛のデータを取得してもよい。
【０１８７】
これにより、例えば、端末装置３００にとってのダウンリンクのスループットが向上し得る。
【０１８８】
＜＜４．処理の流れ＞＞
続いて、図１７を参照して、本開示の実施形態に係る処理の一例を説明する。図１７は、本開示の実施形態に係る処理の概略的な流れの一例を示すシーケンス図である。なお、当該処理の開始時点では、端末装置３００は、端末装置３００のためのアップリンクＰＣＣ及びダウンリンクＰＣＣとして、マクロセル１０のアップリンクＣＣ及びダウンリンクＣＣを使用している。
【０１８９】
例えば、端末装置３００は、いずれかのタイミングで、メッセージをマクロ基地局１００へ送信する（Ｓ４０１）。第１の例として、当該メッセージは、端末装置３００のモビリティが低いことを示すメッセージである。上記メッセージは、端末装置３００が低消費電力を好むことを示すメッセージ（例えば、ＵＥ支援情報メッセージ）を含む。第３の例として、上記メッセージは、端末装置３００がユニキャストの受信よりもＭＢＭＳの受信を優先することを示すメッセージ（例えば、ＭＢＭＳインタレストインディケーションメッセージ）である。
【０１９０】
また、端末装置３００は、測定報告を行う（Ｓ４０３）。即ち、端末装置３００は、測定結果をマクロ基地局１００に報告する。
【０１９１】
そして、マクロ基地局１００は、端末装置３００により報告される上記測定結果に基づいて、ハンドオーバを決定する（Ｓ４０５）。この例では、当該ハンドオーバは、端末装置３００のためのアップリンクＰＣＣを変更せずに、端末装置３００のためのダウンリンクＰＣＣをマクロセル１０の上記ダウンリンクＣＣからスモールセル２０のダウンリンクＣＣへ変更するハンドオーバ（即ち、特別なハンドオーバ）である。
【０１９２】
その後、マクロ基地局１００は、上記特別なハンドオーバのためのハンドオーバ要求メッセージをスモール基地局２００へ送信する（Ｓ４０７）。すると、スモール基地局２００は、スモールセル２０についてのアドミッション制御を行う（Ｓ４０９）。そして、スモール基地局２００は、ハンドオーバ要求ＡＣＫメッセージを、マクロ基地局１００へ送信する（Ｓ４１１）。当該ハンドオーバ要求ＡＣＫメッセージは、上記特別なハンドオーバの実行のためのＲＲＣコネクションリコンフィギュレーションメッセージを含む。
【０１９３】
また、マクロ基地局１００は、マクロセル１０の上記ダウンリンクＣＣ（即ち、ダウンリンクＰＣＣ）を使用して、上記特別なハンドオーバの実行のための上記ＲＲＣコネクションリコンフィギュレーションメッセージを端末装置３００へ送信する（Ｓ４１３）。
【０１９４】
すると、端末装置３００は、マクロセル１０のダウンリンクＣＣのデアクティベーションを行う（Ｓ４１５）。なお、マクロセル１０のアップリンクＣＣがアップリンクＰＣＣとして引き続き使用されるので、マクロ基地局１００からのデタッチは行われない。
【０１９５】
また、端末装置３００は、マクロセル１０の上記アップリンクＣＣ（即ち、アップリンクＰＣＣ）を使用して、上記ＲＲＣコネクションリコンフィギュレーションメッセージに対するＲＲＣコネクションリコンフィギュレーション完了メッセージをマクロ基地局１００へ送信する（Ｓ５１５）。なお、端末装置３００は、例えば、スモールセル２０の上記ダウンリンクＣＣについての測定を通じて、スモールセル２０の上記ダウンリンクＣＣ（即ち、上記特別なハンドオーバの後の新たなダウンリンクＰＣＣ）についての同期を既に獲得している。また、アップリンクＰＣＣは変更されないので、端末装置３００は、アップリンクＰＣＣについての同期も既に獲得している。
【０１９６】
マクロ基地局１００は、ＳＮステータストランスファメッセージをスモール基地局２００へ送信する（Ｓ４１７）。また、マクロ基地局１００は、スモール基地局２００へのデータの転送（forwarding）を行う（Ｓ４１９）。
【０１９７】
また、スモール基地局２００は、パス切替え要求メッセージをＭＭＥへ送信し（Ｓ４２１）、ＭＭＥは、のパス切替え要求ＡＣＫメッセージをスモール基地局２００へ送信する（Ｓ４２３）。
【０１９８】
＜＜５．変形例＞＞
続いて、図１８を参照して、本開示の実施形態の変形例を説明する。
【０１９９】
上述した本開示の実施形態の例では、マクロ基地局１００が、上記特別なハンドオーバの実行のためのメッセージを端末装置３００へ送信する。一方、本開示の実施形態の変形例では、スモール基地局２００が、上記特別なハンドオーバの実行のためのメッセージを端末装置３００へ送信する。
【０２００】
（スモール基地局２００：通信制御部２５３）
（ａ）ハンドオーバに関する制御
−ハンドオーバの実行のためのメッセージの生成
例えば、本開示の実施形態の変形例でも、ハンドオーバ要求ＡＣＫメッセージが、スモール基地局２００によりマクロ基地局１００へ送信される。しかし、例えば、上記ハンドオーバ要求ＡＣＫメッセージは、上記特別なハンドオーバの実行のためのメッセージ（例えば、ＲＲＣコネクションリコンフィギュレーションメッセージ）を含まない。
【０２０１】
−ハンドオーバの実行のためのメッセージの送信
とりわけ本開示の実施形態の変形例では、通信制御部２５３は、上記特別なハンドオーバの実行のためのメッセージの、端末装置３００への送信を制御する。
【０２０２】
−−メッセージの具体例
具体的には、例えば、上記特別なハンドオーバの実行のための上記メッセージは、ＲＲＣコネクションリコンフィギュレーションメッセージである。例えば、当該ＲＲＣコンフィギュレーションメッセージは、アップリンクキャリア周波数及びダウンリンクキャリア周波数を情報要素として有するモビリティ制御情報を含む。そして、当該モビリティ制御情報は、上記アップリンクキャリア周波数として、マクロセル１０のアップリンクＣＣを示し、上記ダウンリンクキャリア周波数として、スモールセル２０のダウンリンクＣＣを示す。あるいは、上記モビリティ制御情報は、上記アップリンクキャリア周波数としていずれのＣＣも示さず、上記ダウンリンクキャリア周波数としてスモールセル２０のダウンリンクＣＣを示してもよい。
【０２０３】
−−送信に使用されるＣＣ及び送信タイミング
例えば、通信制御部２５３は、スモールセル２０のダウンリンクＣＣ（即ち、将来のダウンリンクＰＣＣ）を使用して所定の期間内に上記特別のハンドオーバの実行のための上記メッセージが上記端末装置３００へ送信されるように、上記メッセージの上記端末装置３００への送信を制御する。
【０２０４】
例えば、上記所定の期間は、所定のＳＦＮ（System  Frame  Number）の無線フレームである。あるいは、上記所定の期間は、所定のＳＦＮの無線フレームのうちの、所定のサブフレーム番号のサブフレームであってもよい。
【０２０５】
例えば、上記所定の期間は、ネットワーク（例えば、マクロ基地局１００又はスモール基地局２００など）により予め決定され、端末装置３００に通知される。一例として、上記所定の期間は、システム情報の中で又は個別のシグナリングによりマクロ基地局１００によって端末装置３００に通知される。なお、上記所定の期間は、固定の期間であってもよい。
【０２０６】
これにより、例えば、上記端末装置３００は、将来のダウンリンクＰＣＣとなり得るスモールセル２０のダウンリンクＣＣについての受信処理（例えば、ＰＤＣＣＨのチェックなど）を常時行わなくても、上記メッセージを取得することが可能になる。換言すると、限られた期間内での受信処理により、スモール基地局２００により送信される上記メッセージを取得することが可能になる。即ち、上記端末装置３００による上記メッセージの受信の負担が軽減され得る。
【０２０７】
−−動作の具体例
例えば、通信制御部２５３は、上記端末装置３００への上記ＲＲＣコンフィギュレーションメッセージの送信のために無線リソース（例えば、リソースブロック）を割り当てる。例えば、スモールセル１０の上記ダウンリンクＣＣの無線リソースのうちの、上記所定の期間内の無線リソースが、上記ＲＲＣコンフィギュレーションメッセージの送信のために割り当てられる。その後、上記ＲＲＣコンフィギュレーションメッセージは、上記所定の期間内に、スモール基地局２００により上記端末装置３００へ送信される。
【０２０８】
（マクロ基地局１００：通信制御部１５３）
（ｃ）ハンドオーバの実行のためのメッセージの送信
本開示の実施形態の変形例では、マクロ基地局１００は、上記特別なハンドオーバの実行のためのメッセージを端末装置３００へ送信しない。即ち、通信制御部１５３は、上記特別なハンドオーバの実行のためのメッセージの、上記端末装置３００への送信を制御しない。
【０２０９】
なお、例えば、通信制御部１５３は、上記特別なハンドオーバの実行のためのメッセージがスモール基地局２００により送信される所定の期間を、上記端末装置３００に通知する。例えば、通信制御部１５３は、システム情報の中で又は個別のシグナリングにより、上記所定の期間を上記端末装置３００に通知する。
【０２１０】
また、通信制御部１５３は、上記特別なハンドオーバの実行のためのメッセージが送信される可能性がある１つ以上のスモールセル２０（例えば、ダウンリンク帯域のみが割り当てられる１つ以上のスモールセル２０）を、端末装置３００に通知してもよい。一例として、通信制御部１５３は、システム情報（例えば、ＳＩＢ１５）の中で、上記１つ以上のスモールセル２０を上記端末装置３００に通知してもよい。別の例として、通信制御部１５３は、個別のシグナリング（例えば、測定報告の設定のためのＲＲＣコネクションリコンフィギュレーションメッセージ）により、上記１つ以上のスモールセル２０を上記端末装置３００に通知してもよい。これにより、例えば、端末装置３００は、限られたスモールセル２０のダウンリンクＣＣについての受信処理により、スモール基地局２００により送信される上記メッセージ（即ち、上記特別のハンドオーバの実行のためのメッセージ）を取得することが可能になる。即ち、上記端末装置３００による上記メッセージの受信の負担が軽減される。
【０２１１】
（端末装置３００：情報取得部３４１）
情報取得部３４１は、ハンドオーバの実行のためのメッセージであって、基地局により端末装置３００へ送信される当該メッセージを取得する。
【０２１２】
とりわけ本開示の実施形態の変形例では、スモール基地局２００が、上記特別なハンドオーバの実行ためのメッセージを端末装置３００へ送信する。そして、情報取得部３４１は、当該メッセージを取得する。
【０２１３】
−取得のタイミング
例えば、上記特別なハンドオーバの実行ための上記メッセージは、スモールセル２０のダウンリンクＣＣ（即ち、上記特別なハンドオーバの後の新たなダウンリンクＰＣＣ）を使用して所定の期間内に送信される。
【０２１４】
例えば、情報取得部３４１は、上記所定の期間にわたり、１つ以上のスモールセル２０の１つ以上のダウンリンクＣＣのＰＤＣＣＨ上で送信されるスケジューリング情報から、端末装置３００宛の情報が送信されるかをチェックする。そして、情報取得部３４１は、例えば、端末装置３００宛の情報（即ち、上記特別なハンドオーバの実行のための上記メッセージ）を取得する。
【０２１５】
−対象のＣＣ
上述したように、マクロ基地局１００が、上記特別なハンドオーバの実行のためのメッセージが送信される可能性がある１つ以上のスモールセル２０（例えば、ダウンリンク帯域のみが割り当てられる１つ以上のスモールセル２０）を、端末装置３００に通知してもよい。そして、情報取得部３４１は、通知される上記１つ以上のスモールセル２０の１つ以上のダウンリンクＣＣのＰＤＣＣＨ上で送信されるスケジューリング情報から、端末装置３００宛の情報が送信されるかをチェックしてもよい。そして、情報取得部３４１は、端末装置３００宛の情報（即ち、上記特別なハンドオーバの実行のための上記メッセージ）を取得してもよい。
【０２１６】
あるいは、端末装置３００は、自主的に、新たなダウンリンクＰＣＣになる可能性があるスモールセル２０のダウンリンクＣＣのＰＤＣＣＨ上で送信されるスケジューリング情報から、端末装置３００宛の情報が送信されるかをチェックしてもよい。一例として、上記ダウンリンクＣＣは、測定結果を報告されたダウンリンクＣＣであってもよい。
【０２１７】
−動作の条件
例えば、情報取得部３４１は、端末装置３００が所定のメッセージをマクロ基地局１００へ送信した場合に限り、スモールセル２０の上記ダウンリンクＣＣを使用して送信される上記メッセージの取得を試みる。上記所定のメッセージは、例えば、端末装置３００のモビリティが低いことを示すメッセージ、端末装置３００が低消費電力を好むことを示すメッセージ、及び／又は、端末装置３００がユニキャストの受信よりもＭＢＭＳの受信を優先することを示すメッセージを含む。
【０２１８】
（処理の流れ）
続いて、図１８を参照して、本開示の実施形態の変形例に係る処理の一例を説明する。図１８は、本開示の実施形態の変形例に係る処理の概略的な流れの一例を示すシーケンス図である。なお、当該処理の開始時点では、端末装置３００は、端末装置３００のためのアップリンクＰＣＣ及びダウンリンクＰＣＣとして、マクロセル１０のアップリンクＣＣ及びダウンリンクＣＣを使用している。
【０２１９】
ここで、図１８に示されるステップＳ５０１〜Ｓ５０５、Ｓ５１５〜Ｓ５２５についての説明は、図１７を参照して説明したステップＳ４０１〜Ｓ４０５、Ｓ４１５〜Ｓ４２５についての説明と同じである。よって、ここでは、ステップＳ５０７〜Ｓ５１３のみを説明する。
【０２２０】
マクロ基地局１００は、特別なハンドオーバのためのハンドオーバ要求メッセージをスモール基地局２００へ送信する（Ｓ５０７）。すると、スモール基地局２００は、スモールセル２０についてのアドミッション制御を行う（Ｓ５０９）。そして、スモール基地局２００は、ハンドオーバ要求ＡＣＫメッセージを、マクロ基地局１００へ送信する（Ｓ５１１）。当該ハンドオーバ要求ＡＣＫメッセージは、上記特別なハンドオーバの実行のためのＲＲＣコネクションリコンフィギュレーションメッセージを含まない。
【０２２１】
また、スモール基地局２００は、スモールセル２０のダウンリンクＣＣ（即ち、上記特別なハンドオーバ後の新たなダウンリンクＰＣＣ）を使用して、上記特別なハンドオーバの実行のためのＲＲＣコネクションリコンフィギュレーションメッセージを端末装置３００へ送信する（Ｓ５１３）。
【０２２２】
＜＜６．応用例＞＞
本開示に係る技術は、様々な製品へ応用可能である。例えば、本開示の実施形態に係る基地局（マクロ基地局１００又はスモール基地局２００）は、ｅＮＢとして実現されてもよい。マクロ基地局１００は、マクロｅＮＢとして実現されてもよい。また、スモール基地局２００は、スモールｅＮＢとして実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、本開示の実施形態に係る基地局は、ＮｏｄｅＢ又はＢＴＳ（Base  Transceiver  Station）などの他の種類の基地局として実現されてもよい。本開示の実施形態に係る基地局は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、本開示の実施形態に係る基地局として動作してもよい。
【０２２３】
また、例えば、端末装置３００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置３００は、Ｍ２Ｍ（Machine  To  Machine）通信を行う端末（ＭＴＣ（Machine  Type  Communication）端末ともいう）として実現されてもよい。さらに、端末装置３００の少なくとも一部の構成要素は、これら端末に搭載されるモジュール（例えば、１つのダイで構成される集積回路モジュール）として実現されてもよい。
【０２２４】
＜６．１．基地局に関する応用例＞
（第１の応用例）
図１９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２２５】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１９に示したように複数のアンテナ８１０を有し、複数のアンテナ８１０は、例えばｅＮＢ８００が使用する複数の周波数帯域にそれぞれ対応してもよい。なお、図１９にはｅＮＢ８００が複数のアンテナ８１０を有する例を示したが、ｅＮＢ８００は単一のアンテナ８１０を有してもよい。
【０２２６】
基地局装置８２０は、コントローラ８２１、メモリ８２２、ネットワークインタフェース８２３及び無線通信インタフェース８２５を備える。
【０２２７】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２２８】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２２９】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２３０】
無線通信インタフェース８２５は、図１９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１９に示したように複数のＲＦ回路８２７を含み、複数のＲＦ回路８２７は、例えば複数のアンテナ素子にそれぞれ対応してもよい。なお、図１９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２３１】
図１９に示したｅＮＢ８００において、図１１を参照して説明した情報取得部１５１及び通信制御部１５３は、無線通信インタフェース８２５において実装されてもよい。あるいは、これらの構成要素の少なくとも一部は、コントローラ８２１において実装されてもよい。一例として、ｅＮＢ８００は、無線通信インタフェース８２５の一部（例えば、ＢＢプロセッサ８２６）若しくは全部、及び／又コントローラ８２１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮＢ８００にインストールされ、無線通信インタフェース８２５（例えば、ＢＢプロセッサ８２６）及び／又コントローラ８２１が当該プログラムを実行してもよい。以上のように、情報取得部１５１及び通信制御部１５３を備える装置としてｅＮＢ８００、基地局装置８２０又は上記モジュールが提供されてもよく、プロセッサを情報取得部１５１及び通信制御部１５３として機能させるためのプログラムが提供されてもよい。また、上記プログラムを記憶した読み取り可能な記憶媒体が提供されてもよい。これらの点については、図１５を参照して説明した情報取得部２５１及び通信制御部２５３についても同じことが言える。
【０２３２】
また、図１９に示したｅＮＢ８００において、図１１を参照して説明した無線通信部１２０は、無線通信インタフェース８２５（例えば、ＲＦ回路８２７）において実装されてもよい。また、アンテナ部１１０は、アンテナ８１０において実装されてもよい。また、ネットワーク通信部１３０は、コントローラ８２１及び／又はネットワークインタフェース８２３において実装されてもよい。これらの点については、図１５を参照して説明したアンテナ部２１０、無線通信部２２０及びネットワーク通信部２３０についても同じことが言える。
【０２３３】
（第２の応用例）
図２０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２３４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２０に示したように複数のアンテナ８４０を有し、複数のアンテナ８４０は、例えばｅＮＢ８３０が使用する複数の周波数帯域にそれぞれ対応してもよい。なお、図２０にはｅＮＢ８３０が複数のアンテナ８４０を有する例を示したが、ｅＮＢ８３０は単一のアンテナ８４０を有してもよい。
【０２３５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【０２３６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１９を参照して説明したＢＢプロセッサ８２６と同様のものである。無線通信インタフェース８５５は、図２０に示したように複数のＢＢプロセッサ８５６を含み、複数のＢＢプロセッサ８５６は、例えばｅＮＢ８３０が使用する複数の周波数帯域にそれぞれ対応してもよい。なお、図２０には無線通信インタフェース８５５が複数のＢＢプロセッサ８５６を含む例を示したが、無線通信インタフェース８５５は単一のＢＢプロセッサ８５６を含んでもよい。
【０２３７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２３８】
また、ＲＲＨ８６０は、接続インタフェース８６１及び無線通信インタフェース８６３を備える。
【０２３９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２４０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２０に示したように複数のＲＦ回路８６４を含み、複数のＲＦ回路８６４は、例えば複数のアンテナ素子にそれぞれ対応してもよい。なお、図２０には無線通信インタフェース８６３が複数のＲＦ回路８６４を含む例を示したが、無線通信インタフェース８６３は単一のＲＦ回路８６４を含んでもよい。
【０２４１】
図２０に示したｅＮＢ８３０において、図１１を参照して説明した情報取得部１５１及び通信制御部１５３は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて情報取得部１５１及び通信制御部１５３が実装されてもよい。この場合に、上記モジュールは、プロセッサを情報取得部１５１及び通信制御部１５３として機能させるためのプログラム（換言すると、プロセッサに情報取得部１５１及び通信制御部１５３の動作を実行させるためのプログラム）を記憶し、当該プログラムを実行してもよい。別の例として、プロセッサを情報取得部１５１及び通信制御部１５３として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、情報取得部１５１及び通信制御部１５３を備える装置としてｅＮＢ８３０、基地局装置８５０又は上記モジュールが提供されてもよく、プロセッサを情報取得部１５１及び通信制御部１５３として機能させるためのプログラムが提供されてもよい。また、上記プログラムを記憶した読み取り可能な記憶媒体が提供されてもよい。これらの点については、図１５を参照して説明した情報取得部２５１及び通信制御部２５３についても同じことが言える。
【０２４２】
また、図２０に示したｅＮＢ８３０において、例えば、図１１を参照して説明した無線通信部１２０は、無線通信インタフェース８６３（例えば、ＲＦ回路８６４）において実装されてもよい。また、アンテナ部１１０は、アンテナ８４０において実装されてもよい。また、ネットワーク通信部１３０は、コントローラ８５１及び／又はネットワークインタフェース８５３において実装されてもよい。これらの点については、図１５を参照して説明したアンテナ部２１０、無線通信部２２０及びネットワーク通信部２３０についても同じことが言える。
【０２４３】
＜６．２．端末装置に関する応用例＞
（第１の応用例）
図２１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２４４】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２４５】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２４６】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２１に示したように複数のＢＢプロセッサ９１３及び複数のＲＦ回路９１４を含んでもよい。なお、図２１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２４７】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２４８】
アンテナスイッチ９１５の各々は、無線通信インタフェース９１２に含まれる複数の回路（例えば、異なる無線通信方式のための回路）の間でアンテナ９１６の接続先を切り替える。
【０２４９】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２１に示したように複数のアンテナ９１６を有してもよい。なお、図２１にはスマートフォン９００が複数のアンテナ９１６を有する例を示したが、スマートフォン９００は単一のアンテナ９１６を有してもよい。
【０２５０】
さらに、スマートフォン９００は、無線通信方式ごとにアンテナ９１６を備えてもよい。その場合に、アンテナスイッチ９１５は、スマートフォン９００の構成から省略されてもよい。
【０２５１】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２１に示したスマートフォン９００の各ブロックへ電力を供給する。補助コントローラ９１９は、例えば、スリープモードにおいて、スマートフォン９００の必要最低限の機能を動作させる。
【０２５２】
図２１に示したスマートフォン９００において、図１６を参照して説明した情報取得部３４１及び通信制御部３４３は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて情報取得部３４１及び通信制御部３４３が実装されてもよい。この場合に、上記モジュールは、プロセッサを情報取得部３４１及び通信制御部３４３として機能させるためのプログラム（換言すると、プロセッサに情報取得部３４１及び通信制御部３４３の動作を実行させるためのプログラム）を記憶し、当該プログラムを実行してもよい。別の例として、プロセッサを情報取得部３４１及び通信制御部３４３として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、情報取得部３４１及び通信制御部３４３を備える装置としてスマートフォン９００又は上記モジュールが提供されてもよく、プロセッサを情報取得部３４１及び通信制御部３４３として機能させるためのプログラムが提供されてもよい。また、上記プログラムを記憶した読み取り可能な記憶媒体が提供されてもよい。
【０２５３】
また、図２１に示したスマートフォン９００において、例えば、図１６を参照して説明した無線通信部３２０は、無線通信インタフェース９１２（例えば、ＲＦ回路９１４）において実装されてもよい。また、アンテナ部３１０は、アンテナ９１６において実装されてもよい。
【０２５４】
（第２の応用例）
図２２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２５５】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２５６】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２５７】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２５８】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２２に示したように複数のＢＢプロセッサ９３４及び複数のＲＦ回路９３５を含んでもよい。なお、図２２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２５９】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２６０】
アンテナスイッチ９３６の各々は、無線通信インタフェース９３３に含まれる複数の回路（例えば、異なる無線通信方式のための回路）の間でアンテナ９３７の接続先を切り替える。
【０２６１】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２２に示したように複数のアンテナ９３７を有してもよい。なお、図２２にはカーナビゲーション装置９２０が複数のアンテナ９３７を有する例を示したが、カーナビゲーション装置９２０は単一のアンテナ９３７を有してもよい。
【０２６２】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２６３】
バッテリー９３８は、図中に破線で部分的に示した給電ラインを介して、図２２に示したカーナビゲーション装置９２０の各ブロックへ電力を供給する。また、バッテリー９３８は、車両側から給電される電力を蓄積する。
【０２６４】
図２２に示したカーナビゲーション装置９２０において、図１６を参照して説明した情報取得部３４１及び通信制御部３４３は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて情報取得部３４１及び通信制御部３４３が実装されてもよい。この場合に、上記モジュールは、プロセッサを情報取得部３４１及び通信制御部３４３として機能させるためのプログラム（換言すると、プロセッサに情報取得部３４１及び通信制御部３４３の動作を実行させるためのプログラム）を記憶し、当該プログラムを実行してもよい。別の例として、プロセッサを情報取得部３４１及び通信制御部３４３として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、情報取得部３４１及び通信制御部３４３を備える装置としてカーナビゲーション装置９２０又は上記モジュールが提供されてもよく、プロセッサを情報取得部３４１及び通信制御部３４３として機能させるためのプログラムが提供されてもよい。また、上記プログラムを記憶した読み取り可能な記憶媒体が提供されてもよい。
【０２６５】
また、図２２に示したカーナビゲーション装置９２０において、例えば、図１６を参照して説明した無線通信部３２０は、無線通信インタフェース９３３（例えば、ＲＦ回路９３５）において実装されてもよい。また、アンテナ部３１０は、アンテナ９３７において実装されてもよい。
【０２６６】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、情報取得部３４１及び通信制御部３４３を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２６７】
＜＜７．まとめ＞＞
ここまで、図１〜図２３を参照して、本開示の実施形態に係る装置及び処理を説明した。
【０２６８】
本開示に係る実施形態によれば、マクロ基地局１００は、端末装置３００のためのアップリンクＰＣＣ及びダウンリンクＰＣＣとしてマクロセル１０のアップリンクＣＣ及びダウンリンクＣＣを使用する上記端末装置３００により報告される測定結果を取得する情報取得部１５１と、上記測定結果に基づいて、上記アップリンクＰＣＣ及び上記ダウンリンクＰＣＣの少なくとも一方を変更するハンドオーバを決定する通信制御部１５３と、を備える。通信制御部１５３は、所定の条件が満たされる場合に、上記アップリンクＰＣＣを変更せずに上記ダウンリンクＰＣＣをマクロセル１０の上記ダウンリンクＣＣからスモールセル２０のダウンリンクＣＣへ変更するハンドオーバ（即ち、特別なハンドオーバ）を決定する。
【０２６９】
これにより、例えば、マクロセル１０の無線リソースの消費をより小さくすることが可能になる。より具体的には、例えば、スモールセル２０が、ダウンリンクＣＣのみが使用可能なセルであっても、端末装置３００のためのダウンリンクＰＣＣが、スモールセル２０のダウンリンクＣＣになり得る。そのため、マクロセル１０のダウンリンクの無線リソースの消費が小さくなり得る。
【０２７０】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０２７１】
例えば、通信システムがＬＴＥ、ＬＴＥ−Ａｄｖａｎｃｅｄ、又はこれらに準ずる通信規格に準拠したシステムである例を説明したが、本開示は係る例に限定されない。例えば、通信システムは、他の通信規格に準拠したシステムであってもよい。
【０２７２】
また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２７３】
また、本明細書の装置（マクロ基地局、スモール基地局又は端末装置）に備えられるプロセッサ（例えば、ＣＰＵ、ＤＳＰなど）を上記装置の構成要素（例えば、情報取得部及び通信制御部など）として機能させるためのコンピュータプログラム（換言すると、上記プロセッサに上記装置の構成要素の動作を実行させるためのコンピュータプログラム）も作成可能である。また、当該コンピュータプログラムを記憶した記憶媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の構成要素（例えば、情報取得部及び通信制御部など）の動作を含む方法も、本開示に係る技術に含まれる。
【０２７４】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０２７５】
なお、以下のような構成も本開示の技術的範囲に属する。
（１）
端末装置のためのアップリンクＰＣＣ（Primary  Component  Carrier）及びダウンリンクＰＣＣとしてマクロセルのアップリンクＣＣ（Component  Carrier）及びダウンリンクＣＣを使用する前記端末装置により報告される測定結果を取得する取得部と、
前記測定結果に基づいて、前記アップリンクＰＣＣ及び前記ダウンリンクＰＣＣの少なくとも一方を変更するハンドオーバを決定する制御部と、
を備え、
前記制御部は、所定の条件が満たされる場合に、前記アップリンクＰＣＣを変更せずに前記ダウンリンクＰＣＣを前記マクロセルの前記ダウンリンクＣＣからスモールセルのダウンリンクＣＣへ変更するハンドオーバを決定する、
装置。
（２）
前記所定の条件は、前記端末装置により前記マクロセルの基地局へ所定のメッセージが送信されることを含む、前記（１）に記載の装置。
（３）
前記所定のメッセージは、前記端末装置のモビリティが低いことを示すメッセージを含む、前記（２）に記載の装置。
（４）
前記所定のメッセージは、前記端末装置が低消費電力を好むことを示すメッセージを含む、前記（２）又は（３）に記載の装置。
（５）
前記マクロセルは、ＭＢＭＳ（Multimedia  Broadcast  Multicast  Services）サービスが提供されないセルであり、
前記スモールセルは、ＭＢＭＳサービスが提供されるセルであり、
前記所定のメッセージは、前記端末装置がユニキャストの受信よりもＭＢＭＳの受信を優先することを示すメッセージを含む、
前記（２）〜（４）のいずれか１項に記載の装置。
（６）
前記制御部は、前記アップリンクＰＣＣを変更せずに前記ダウンリンクＰＣＣを変更する前記ハンドオーバの実行後に、前記端末装置との無線通信のために前記マクロセルの前記ダウンリンクＣＣを使用しない、前記（１）〜（５）のいずれか１項に記載の装置。
（７）
前記制御部は、前記アップリンクＰＣＣを変更せずに前記ダウンリンクＰＣＣを変更する前記ハンドオーバの実行後に、前記端末装置との無線通信のために前記マクロセルの前記ダウンリンクＣＣを前記端末装置のためのダウンリンクＳＣＣ（Secondary  Component  Carrier）として使用する、前記（１）〜（５）のいずれか１項に記載の装置。
（８）
前記制御部は、前記アップリンクＰＣＣを変更せずに前記ダウンリンクＰＣＣを変更する前記ハンドオーバの実行のためのメッセージの、前記端末装置への送信を制御する、前記（１）〜（７）のいずれか１項に記載の装置。
（９）
前記メッセージは、ＲＲＣ（Radio  Resource  Control）コネクションリコンフィギュレーションメッセージである、前記（８）に記載の装置。
（１０）
前記装置は、前記マクロセルの基地局、当該基地局のための基地局装置、又は当該基地局装置のためのモジュールである、前記（１）〜（９）のいずれか１項に記載の装置。
（１１）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージの、前記端末装置への送信を制御する制御部、
を備える装置。
（１２）
前記装置は、前記スモールセルの基地局、当該基地局のための基地局装置、又は当該基地局装置のためのモジュールである、前記（１１）に記載の装置。
（１３）
前記制御部は、前記スモールセルの前記ダウンリンクＣＣを使用して所定の期間内に前記メッセージが前記端末装置へ送信されるように、前記メッセージの前記端末装置への送信を制御する、前記（１２）に記載の装置。
（１４）
前記装置は、前記マクロセルの基地局、当該基地局のための基地局装置、又は当該基地局装置のためのモジュールである、前記（１１）に記載の装置。
（１５）
前記スモールセルは、ダウンリンクＣＣのみが使用可能なセルである、前記（１）〜（１４）のいずれか１項に記載の装置。
（１６）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージであって、基地局により前記端末装置へ送信される前記メッセージを取得する取得部と、
前記ハンドオーバの実行後に、前記マクロセルの前記アップリンクＣＣを前記アップリンクＰＣＣとして使用し、前記スモールセルの前記ダウンリンクＣＣを前記ダウンリンクＰＣＣとして使用する制御部と、
を備える装置。
（１７）
前記制御部は、前記ハンドオーバの実行後に、前記マクロセルの基地局との無線通信のために前記マクロセルの前記ダウンリンクＣＣを使用しない、前記（１６）に記載の装置。
（１８）
前記制御部は、前記ハンドオーバの実行後に、前記マクロセルの基地局との無線通信のために前記マクロセルの前記ダウンリンクＣＣを前記端末装置のためのダウンリンクＳＣＣとして使用する、前記（１７）に記載の装置。
（１９）
前記制御部は、前記端末装置のモビリティが低いかを示すメッセージを生成し、前記マクロセルの基地局への当該メッセージの送信を制御する、前記（１６）〜（１８）のいずれか１項に記載の装置。
（２０）
前記装置は、前記端末装置、又は当該端末装置のためのモジュールである、前記（１６）〜（１９）のいずれか１項に記載の装置。
（２１）
端末装置のためのアップリンクＰＣＣ及びダウンリンクＰＣＣとしてマクロセルのアップリンクＣＣ及びダウンリンクＣＣを使用する前記端末装置により報告される測定結果を取得することと、
プロセッサにより、前記測定結果に基づいて、前記アップリンクＰＣＣ及び前記ダウンリンクＰＣＣの少なくとも一方を変更するハンドオーバを決定することと、
を含み、
前記ハンドオーバを決定することは、所定の条件が満たされる場合に、前記アップリンクＰＣＣを変更せずに前記ダウンリンクＰＣＣを前記マクロセルの前記ダウンリンクＣＣからスモールセルのダウンリンクＣＣへ変更するハンドオーバを決定することを含む、
方法。
（２２）
端末装置のためのアップリンクＰＣＣ及びダウンリンクＰＣＣとしてマクロセルのアップリンクＣＣ及びダウンリンクＣＣを使用する前記端末装置により報告される測定結果を取得することと、
前記測定結果に基づいて、前記アップリンクＰＣＣ及び前記ダウンリンクＰＣＣの少なくとも一方を変更するハンドオーバを決定することと、
をプロセッサに実行させ、
前記ハンドオーバを決定することは、所定の条件が満たされる場合に、前記アップリンクＰＣＣを変更せずに前記ダウンリンクＰＣＣを前記マクロセルの前記ダウンリンクＣＣからスモールセルのダウンリンクＣＣへ変更するハンドオーバを決定することを含む、
プログラム。
（２３）
端末装置のためのアップリンクＰＣＣ及びダウンリンクＰＣＣとしてマクロセルのアップリンクＣＣ及びダウンリンクＣＣを使用する前記端末装置により報告される測定結果を取得することと、
前記測定結果に基づいて、前記アップリンクＰＣＣ及び前記ダウンリンクＰＣＣの少なくとも一方を変更するハンドオーバを決定することと、
をプロセッサに実行させるためのプログラムを記録し、
前記ハンドオーバを決定することは、所定の条件が満たされる場合に、前記アップリンクＰＣＣを変更せずに前記ダウンリンクＰＣＣを前記マクロセルの前記ダウンリンクＣＣからスモールセルのダウンリンクＣＣへ変更するハンドオーバを決定することを含む、
読み取り可能な記録媒体。
（２４）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージの、前記端末装置への送信を、プロセッサにより制御すること、
を含む方法。
（２５）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージの、前記端末装置への送信を制御すること、
をプロセッサに実行させるためのプログラム。
（２６）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージの、前記端末装置への送信を制御すること、
をプロセッサに実行させるためのプログラムを記録した読み取り可能な記録媒体。
（２７）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージであって、基地局により前記端末装置へ送信される前記メッセージを取得することと、
プロセッサにより、前記ハンドオーバの実行後に、前記マクロセルの前記アップリンクＣＣを前記アップリンクＰＣＣとして使用し、前記スモールセルの前記ダウンリンクＣＣを前記ダウンリンクＰＣＣとして使用することと、
を含む方法。
（２８）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージであって、基地局により前記端末装置へ送信される前記メッセージを取得することと、
前記ハンドオーバの実行後に、前記マクロセルの前記アップリンクＣＣを前記アップリンクＰＣＣとして使用し、前記スモールセルの前記ダウンリンクＣＣを前記ダウンリンクＰＣＣとして使用することと、
をプロセッサに実行させるためのプログラム。
（２９）
端末装置のためのアップリンクＰＣＣをマクロセルのアップリンクＣＣから変更せずに前記端末装置のためのダウンリンクＰＣＣをマクロセルのダウンリンクＣＣからスモールセルのダウンリンクＣＣへ変更するハンドオーバの実行のためのメッセージであって、基地局により前記端末装置へ送信される前記メッセージを取得することと、
前記ハンドオーバの実行後に、前記マクロセルの前記アップリンクＣＣを前記アップリンクＰＣＣとして使用し、前記スモールセルの前記ダウンリンクＣＣを前記ダウンリンクＰＣＣとして使用することと、
をプロセッサに実行させるためのプログラムを記録した読み取り可能な記録媒体。
【符号の説明】
【０２７６】
１        通信システム
１０      マクロセル
２０      スモールセル
３０      マクロセル用のアップリンク帯域
４０      マクロセル用のダウンリンク帯域
５０      スモールセル用のダウンリンク帯域
１００    マクロ基地局
１５１    情報取得部
１５３    通信制御部
２００    スモール基地局
２５１    情報取得部
２５３    通信制御部
３００    端末装置
３４１    情報取得部
３４３    通信制御部
【図１】
2015146285.tif 000003
【図２】
2015146285.tif 000004
【図３】
2015146285.tif 000005
【図４】
2015146285.tif 000006
【図５】
2015146285.tif 000007
【図６】
2015146285.tif 000008
【図７】
2015146285.tif 000009
【図８】
2015146285.tif 000010
【図９】
2015146285.tif 000011
【図１０】
2015146285.tif 000012
【図１１】
2015146285.tif 000013
【図１２】
2015146285.tif 000014
【図１３】
2015146285.tif 000015
【図１４】
2015146285.tif 000016
【図１５】
2015146285.tif 000017
【図１６】
2015146285.tif 000018
【図１７】
2015146285.tif 000019
【図１８】
2015146285.tif 000020
【図１９】
2015146285.tif 000021
【図２０】
2015146285.tif 000022
【図２１】
2015146285.tif 000023
【図２２】
2015146285.tif 000024
【国際調査報告】
2015146285.tif 000025
2015146285.tif 000026
2015146285.tif 000027
2015146285.tif 000028